(57)【要約】  本出願の実施例は信号伝送方法、端末装置及びネットワーク装置を開示する。該方法は端末装置が前記端末装置の位置するセルの同期信号ブロックバーストの第一の伝送周期における時間領域位置を確定することと、前記端末装置が前記同期信号ブロックバーストの第一の伝送周期における時間領域位置に基づき、ネットワーク装置から送信された同期信号ブロックを受信することとを含む。本出願の実施例の信号伝送方法、端末装置及びネットワーク装置は、端末装置の計算の複雑さを低減し、検出時間を減らし、電力消費を節約することができる。
2020515141.tif 000002
【特許請求の範囲】
【請求項１】
信号伝送方法であって、
端末装置が前記端末装置の位置するセルの同期信号ブロックバーストの第一の伝送周期における時間領域位置を確定することと、
前記端末装置が前記同期信号ブロックバーストの第一の伝送周期における時間領域位置に基づき、ネットワーク装置から送信された同期信号ブロックを受信することとを含む、前記信号伝送方法。
【請求項２】
前記端末装置が前記端末装置の位置するセルの同期信号ブロックバーストの第一の伝送周期における時間領域位置を確定することは、
前記端末装置が前記端末装置の位置するセルの物理セル識別子（ＰＣＩ）に基づき、前記同期信号ブロックバーストの第一の伝送周期における時間領域位置を確定することを含むことを特徴とする
請求項１に記載の信号伝送方法。
【請求項３】
前記端末装置が前記端末装置の位置するセルの物理セル識別子（ＰＣＩ）に基づき、前記同期信号ブロックバーストの第一の伝送周期における時間領域位置を確定することは、
前記端末装置が前記ＰＣＩに基づき、前記第一の伝送周期における第一の位置に対する前記同期信号ブロックバーストのターゲット時間領域オフセットを確定することと、
前記端末装置が前記ターゲット時間領域オフセットに基づき、前記同期信号ブロックバーストの第一の伝送周期における時間領域位置を確定することとを含むことを特徴とする
請求項２に記載の信号伝送方法。
【請求項４】
前記端末装置が前記ＰＣＩに基づき、前記第一の伝送周期における第一の位置に対する前記同期信号ブロックバーストのターゲット時間領域オフセットを確定することは、
前記端末装置が前記ＰＣＩ及びＰＣＩと時間領域オフセットとのマッピング関係に応じて、前記ターゲット時間領域オフセットを確定することを含むことを特徴とする
請求項３に記載の信号伝送方法。
【請求項５】
前記信号伝送方法はさらに、
前記端末装置が前記ネットワーク装置から送信された第一の情報を受信することを含み、
前記端末装置が前記ＰＣＩに基づき、前記第一の伝送周期における第一の位置に対する前記同期信号ブロックバーストのターゲット時間領域オフセットを確定することは、
前記端末装置が前記ＰＣＩと前記第一の情報に基づき、前記ターゲット時間領域オフセットを確定することを含むことを特徴とする
請求項３に記載の信号伝送方法。
【請求項６】
前記第一の情報が前記同期信号ブロックバーストの数又は前記同期信号ブロックバーストの前記第一の伝送周期における時間シーケンス情報であり、前記端末装置が前記ＰＣＩと前記第一の情報に基づき、前記ターゲット時間領域オフセットを確定することは、
前記端末装置が前記ＰＣＩと前記同期信号ブロックバーストの数に基づき、前記ターゲット時間領域オフセットを確定すること、又は
前記端末装置が前記ＰＣＩと前記同期信号ブロックバーストの前記第一の伝送周期における時間シーケンス情報に基づき、前記ターゲット時間領域オフセットを確定することを含むことを特徴とする
請求項５に記載の信号伝送方法。
【請求項７】
前記端末装置が前記ＰＣＩと前記同期信号ブロックバーストの数に基づき、前記ターゲット時間領域オフセットを確定することは、
前記端末装置が前記ＰＣＩと前記同期信号ブロックバーストの数に対して剰余演算を行って前記ターゲット時間領域オフセットを取得することを含むことを特徴とする
請求項６に記載の信号伝送方法。
【請求項８】
前記信号伝送方法はさらに、
前記端末装置が前記ネットワーク装置から送信された第二の情報を受信し、前記第二の情報が前記同期信号ブロックバーストの前記第一の伝送周期におけるターゲット時間領域オフセットを示すことに用いられることを含み、
前記端末装置が前記端末装置の位置するセルの同期信号ブロックバーストの第一の伝送周期における時間領域位置を確定することは、
前記端末装置が前記第二の情報に基づき、前記ターゲット時間領域オフセットを確定することと、
前記端末装置が前記ターゲット時間領域オフセットに基づき、前記同期信号ブロックバーストの第一の伝送周期における時間領域位置を確定することとを含むことを特徴とする
請求項１に記載の信号伝送方法。
【請求項９】
前記第二の情報が前記ターゲット時間領域オフセットの識別子であり、前記端末装置が前記第二の情報に基づき、前記ターゲット時間領域オフセットを確定することは、
前記端末装置が前記ターゲット時間領域オフセットの識別子に基づき、予め設定された複数の時間領域オフセットから前記ターゲット時間領域オフセットを確定することを含むことを特徴とする
請求項８に記載の信号伝送方法。
【請求項１０】
第一の情報又は第二の情報はシステムメッセージ、ブロードキャストメッセージ又は無線リソース制御シグナリングに搬送されることを特徴とする
請求項５−９のいずれか一項に記載の信号伝送方法。
【請求項１１】
前記端末装置が前記端末装置の位置するセルの同期信号ブロックバーストの第一の伝送周期における時間領域位置を確定することは、
前記端末装置が前記ネットワーク装置から送信された前記同期信号ブロックバーストの第一の同期信号ブロックを受信することと、
前記端末装置が前記第一の同期信号ブロックの前記第一の伝送周期における時間領域位置及び前記同期信号ブロックバーストの前記第一の伝送周期における時間シーケンス情報に基づき、前記同期信号ブロックバーストの第一の伝送周期における時間領域位置を確定することとを含み、
前記端末装置が前記同期信号ブロックバーストの第一の伝送周期における時間領域位置に基づき、ネットワーク装置から送信された同期信号ブロックを受信することは、
前記端末装置が前記同期信号ブロックバーストの第一の伝送周期における時間領域位置に基づき、前記ネットワーク装置から送信された前記同期信号ブロックバーストの第二の同期信号ブロックを受信することを含むことを特徴とする
請求項１に記載の信号伝送方法。
【請求項１２】
前記時間シーケンス情報が前記同期信号ブロックバーストのいずれかの２つの隣接する同期信号ブロックの間の時間領域ユニットの数を含み、前記信号伝送方法はさらに、
前記端末装置が前記ネットワーク装置から送信された指示情報を受信し、前記指示情報が前記時間領域ユニットの数を示すことに用いられることを含み、
前記端末装置が前記第一の同期信号ブロックの前記第一の伝送周期における時間領域位置及び前記同期信号ブロックバーストの前記第一の伝送周期における時間シーケンス情報に基づき、前記同期信号ブロックバーストの第一の伝送周期における時間領域位置を確定することは、
前記端末装置が前記第一の同期信号ブロックの前記第一の伝送周期における時間領域位置及び前記時間領域ユニットの数に基づき、前記同期信号ブロックの第一の伝送周期における時間領域位置を確定することを含むことを特徴とする
請求項１１に記載の信号伝送方法。
【請求項１３】
前記信号伝送方法はさらに、
前記端末装置が前記ネットワーク装置から送信された指示情報を受信し、前記指示情報が前記同期信号ブロックバーストの数を示すことに用いられることを含み、
前記端末装置が前記端末装置の位置するセルの同期信号ブロックバーストの第一の伝送周期における時間領域位置を確定することは、
前記端末装置が前記同期信号ブロックバーストの数に基づき、前記同期信号ブロックバーストの第一の伝送周期における時間領域位置を確定することを含むことを特徴とする
請求項１に記載の信号伝送方法。
【請求項１４】
前記信号伝送方法はさらに、
前記端末装置が前記ネットワーク装置から送信された指示情報を受信し、前記指示情報が前記同期信号ブロックバーストの前記第一の伝送周期における時間領域位置を示すことに用いられることを含み、
前記端末装置が前記端末装置の位置するセルの同期信号ブロックバーストの第一の伝送周期における時間領域位置を確定することは、
前記端末装置が前記指示情報に基づき、前記同期信号ブロックバーストの第一の伝送周期における時間領域位置を確定することを含むことを特徴とする
請求項１に記載の信号伝送方法。
【請求項１５】
前記信号伝送方法はさらに、
前記端末装置が前記ネットワーク装置から送信された指示情報を受信し、前記指示情報が複数の対応関係のうちの第一の対応関係を示すことに用いられ、前記対応関係が同期信号ブロックバーストの前記第一の伝送周期における時間シーケンスのマッピングであることを含み、
前記端末装置が前記端末装置の位置するセルの同期信号ブロックバーストの第一の伝送周期における時間領域位置を確定することは、
前記端末装置が前記第一の対応関係に応じて、前記同期信号ブロックバーストの第一の伝送周期における時間領域位置を確定することを含むことを特徴とする
請求項１に記載の信号伝送方法。
【請求項１６】
前記指示情報がブロードキャストメッセージ、システムメッセージ、無線リソース制御（ＲＲＣ）シグナリング、媒体アクセス制御（ＭＡＣ）制御エレメント（ＣＥ）シグナリング及びダウンリンク制御情報（ＤＣＩ）のうちの少なくとも一つに搬送されることを特徴とする
請求項１２−１５のいずれか一項に記載の信号伝送方法。
【請求項１７】
前記端末装置が前記ネットワーク装置から送信された指示情報を受信することは、
前記端末装置が前記ネットワーク装置から送信された前記指示情報をプライマリ搬送波で受信することを含むことを特徴とする
請求項１２−１６のいずれか一項に記載の信号伝送方法。
【請求項１８】
前記プライマリ搬送波は新しい無線（ＮＲ）又は長期進化（ＬＴＥ）システムにおける搬送波であることを特徴とする
請求項１７に記載の信号伝送方法。
【請求項１９】
前記同期信号ブロックはプライマリ同期信号とセカンダリ同期信号を含むことを特徴とする
請求項１−１８のいずれか一項に記載の信号伝送方法。
【請求項２０】
前記同期信号ブロックはさらにブロードキャストチャネルと前記ブロードキャストチャネルを復調するための復調基準信号を含むことを特徴とする
請求項１９に記載の信号伝送方法。
【請求項２１】
信号伝送方法であって、
ネットワーク装置が第一のセルの同期信号ブロックバーストの第一の伝送周期における時間領域位置を確定することと、
前記ネットワーク装置が前記同期信号ブロックバーストの第一の伝送周期における時間領域位置に基づき、前記第一のセルの端末装置へ同期信号ブロックを送信することとを含む、前記信号伝送方法。
【請求項２２】
前記ネットワーク装置が第一のセルの同期信号ブロックバーストの第一の伝送周期における時間領域位置を確定することは、
前記ネットワーク装置が前記第一のセルの物理セル識別子（ＰＣＩ）に基づき、前記同期信号ブロックバーストの第一の伝送周期における時間領域位置を確定することを含むことを特徴とする
請求項２１に記載の信号伝送方法。
【請求項２３】
前記ネットワーク装置が前記第一のセルの物理セル識別子（ＰＣＩ）に基づき、前記同期信号ブロックバーストの第一の伝送周期における時間領域位置を確定することは、
前記ネットワーク装置が前記ＰＣＩに基づき、前記第一の伝送周期における第一の位置に対する前記同期信号ブロックバーストのターゲット時間領域オフセットを確定することと、
前記ネットワーク装置が前記ターゲット時間領域オフセットに基づき、前記同期信号ブロックバーストの第一の伝送周期における時間領域位置を確定することとを含むことを特徴とする
請求項２２に記載の信号伝送方法。
【請求項２４】
前記ネットワーク装置が前記ＰＣＩに基づき、前記第一の伝送周期における第一の位置に対する前記同期信号ブロックバーストのターゲット時間領域オフセットを確定することは、
前記ネットワーク装置が前記ＰＣＩ及びＰＣＩと時間領域オフセットとのマッピング関係に応じて、前記ターゲット時間領域オフセットを確定することを含むことを特徴とする
請求項２３に記載の信号伝送方法。
【請求項２５】
前記ネットワーク装置が前記ＰＣＩに基づき、前記第一の伝送周期における第一の位置に対する前記同期信号ブロックバーストのターゲット時間領域オフセットを確定することは、
前記ネットワーク装置が前記ＰＣＩと第一の情報に基づき、前記ターゲット時間領域オフセットを確定することを含むことを特徴とする
請求項２３に記載の信号伝送方法。
【請求項２６】
前記第一の情報が前記同期信号ブロックバーストの数又は前記同期信号ブロックバーストの前記第一の伝送周期における時間シーケンス情報であり、前記ネットワーク装置が前記ＰＣＩと第一の情報に基づき、前記ターゲット時間領域オフセットを確定することは、
前記ネットワーク装置が前記ＰＣＩと前記同期信号ブロックバーストの数に基づき、前記ターゲット時間領域オフセットを確定すること、又は
前記ネットワーク装置が前記ＰＣＩと前記同期信号ブロックバーストの前記第一の伝送周期における時間シーケンス情報に基づき、前記ターゲット時間領域オフセットを確定することを含むことを特徴とする
請求項２５に記載の信号伝送方法。
【請求項２７】
前記ネットワーク装置が前記ＰＣＩと前記同期信号ブロックバーストの数に基づき、前記ターゲット時間領域オフセットを確定することは、
前記ネットワーク装置が前記ＰＣＩと前記同期信号ブロックバーストの数に対して剰余演算を行って前記ターゲット時間領域オフセットを取得することを含むことを特徴とする
請求項２６に記載の信号伝送方法。
【請求項２８】
前記信号伝送方法はさらに、
前記ネットワーク装置が前記端末装置へ第二の情報を送信し、前記第二の情報が前記同期信号ブロックバーストの前記第一の伝送周期におけるターゲット時間領域オフセットを示すことに用いられることを含むことを特徴とする
請求項２３−２７のいずれか一項に記載の信号伝送方法。
【請求項２９】
前記第二の情報は予め設定された複数の時間領域オフセットにおける前記ターゲット時間領域オフセットの識別子であることを特徴とする
請求項２８に記載の信号伝送方法。
【請求項３０】
第一の情報又は第二の情報はシステムメッセージ、ブロードキャストメッセージ又は無線リソース制御シグナリングに搬送されることを特徴とする
請求項２５−２９のいずれか一項に記載の信号伝送方法。
【請求項３１】
前記信号伝送方法はさらに、
前記ネットワーク装置が前記端末装置へ指示情報を送信し、前記指示情報が前記同期信号ブロックバーストのいずれかの２つの隣接する同期信号ブロック間の時間領域ユニットの数を示すことに用いられることを含むことを特徴とする
請求項２１に記載の信号伝送方法。
【請求項３２】
前記信号伝送方法はさらに、
前記ネットワーク装置が前記端末装置へ指示情報を送信し、前記指示情報が前記同期信号ブロックバーストの数を示すことに用いられることを含むことを特徴とする
請求項２１に記載の信号伝送方法。
【請求項３３】
前記信号伝送方法はさらに、
前記ネットワーク装置が前記端末装置へ指示情報を送信し、前記指示情報が前記同期信号ブロックバーストの第一の伝送周期における時間領域位置を示すことに用いられることを含むことを特徴とする
請求項２１に記載の信号伝送方法。
【請求項３４】
前記信号伝送方法はさらに、
前記ネットワーク装置が前記端末装置へ指示情報を送信し、前記指示情報が複数の対応関係のうちの第一の対応関係を示すことに用いられ、前記対応関係が同期信号ブロックバーストの前記第一の伝送周期における時間シーケンスのマッピングであることを含むことを特徴とする
請求項２１に記載の信号伝送方法。
【請求項３５】
前記指示情報がブロードキャストメッセージ、システムメッセージ、無線リソース制御（ＲＲＣ）シグナリング、媒体アクセス制御（ＭＡＣ）制御エレメント（ＣＥ）シグナリング及びダウンリンク制御情報（ＤＣＩ）のうちの少なくとも一つに搬送されることを特徴とする
請求項３１−３４のいずれか一項に記載の信号伝送方法。
【請求項３６】
前記ネットワーク装置が前記端末装置へ指示情報を送信することは、
前記ネットワーク装置が前記端末装置へ前記指示情報をプライマリ搬送波で送信することを含むことを特徴とする
請求項３１−３５のいずれか一項に記載の信号伝送方法。
【請求項３７】
前記プライマリ搬送波は新しい無線（ＮＲ）又は長期進化（ＬＴＥ）システムにおける搬送波であることを特徴とする
請求項３６に記載の信号伝送方法。
【請求項３８】
前記同期信号ブロックはプライマリ同期信号とセカンダリ同期信号を含むことを特徴とする
請求項２１−３７のいずれか一項に記載の信号伝送方法。
【請求項３９】
前記同期信号ブロックはさらにブロードキャストチャネルと前記ブロードキャストチャネルを復調するための復調基準信号を含むことを特徴とする
請求項３８に記載の信号伝送方法。
【請求項４０】
端末装置であって、
前記端末装置の位置するセルの同期信号ブロックバーストの第一の伝送周期における時間領域位置を確定するように構成される確定ユニットと、
前記同期信号ブロックバーストの第一の伝送周期における時間領域位置に基づき、ネットワーク装置から送信された同期信号ブロックを受信するように構成される第一の受信ユニットとを備える、前記端末装置。
【請求項４１】
前記確定ユニットは具体的に、
前記端末装置の位置するセルの物理セル識別子（ＰＣＩ）に基づき、前記同期信号ブロックバーストの第一の伝送周期における時間領域位置を確定することを含むことを特徴とする
請求項４０に記載の端末装置。
【請求項４２】
前記確定ユニットは具体的に、
前記ＰＣＩに基づき、前記第一の伝送周期における第一の位置に対する前記同期信号ブロックバーストのターゲット時間領域オフセットを確定し、
前記ターゲット時間領域オフセットに基づき、前記同期信号ブロックバーストの第一の伝送周期における時間領域位置を確定するように構成されることを特徴とする
請求項４１に記載の端末装置。
【請求項４３】
前記確定ユニットは具体的に、
前記ＰＣＩ及びＰＣＩと時間領域オフセットとのマッピング関係に応じて、前記ターゲット時間領域オフセットを確定するように構成されることを特徴とする
請求項４２に記載の端末装置。
【請求項４４】
前記端末装置は、
前記ネットワーク装置から送信された第一の情報を受信するように構成される第二の受信ユニットをさらに備え、
前記確定ユニットは具体的に、
前記ＰＣＩと第一の情報に基づき、前記ターゲット時間領域オフセットを確定するように構成されることを特徴とする
請求項４２に記載の端末装置。
【請求項４５】
前記第一の情報が前記同期信号ブロッバーストの数又は前記同期信号ブロックバーストの前記第一の伝送周期における時間シーケンス情報であり、前記確定ユニットは具体的に、
前記ＰＣＩと前記同期信号ブロックバーストの数に基づき、前記ターゲット時間領域オフセットを確定するように構成され、又は
前記ＰＣＩと前記同期信号ブロックバーストの前記第一の伝送周期における時間シーケンス情報に基づき、前記ターゲット時間領域オフセットを確定するように構成されることを特徴とする
請求項４４に記載の端末装置。
【請求項４６】
前記確定ユニットは具体的に、
前記ＰＣＩと前記同期信号ブロックバーストの数に対して剰余演算を行って前記ターゲット時間領域オフセットを取得することを含むことを特徴とする
請求項４５に記載の端末装置。
【請求項４７】
前記端末装置は、
前記ネットワーク装置から送信された第二の情報を受信するように構成され、前記第二の情報が前記同期信号ブロックバーストの前記第一の伝送周期におけるターゲット時間領域オフセットを示すことに用いられる第三の受信ユニットをさらに備え、
前記確定ユニットは具体的に、
前記第二の情報に基づき、前記ターゲット時間領域オフセットを確定し、
前記ターゲット時間領域オフセットに基づき、前記同期信号ブロックバーストの第一の伝送周期における時間領域位置を確定するように構成されることを特徴とする
請求項４０に記載の端末装置。
【請求項４８】
前記第二の情報が前記ターゲット時間領域オフセットの識別子であり、前記確定ユニットは具体的に、
前記ターゲット時間領域オフセットの識別子に基づき、予め設定された複数の時間領域オフセットから前記ターゲット時間領域オフセットを確定するように構成されることを特徴とする
請求項４７に記載の端末装置。
【請求項４９】
第一の情報又は第二の情報はシステムメッセージ、ブロードキャストメッセージ又は無線リソース制御シグナリングに搬送されることを特徴とする
請求項４４−４８のいずれか一項に記載の端末装置。
【請求項５０】
前記確定ユニットは具体的に、
前記ネットワーク装置から送信された前記同期信号ブロックバーストの第一の同期信号ブロックを受信し、
前記第一の同期信号ブロックの前記第一の伝送周期における時間領域位置及び前記同期信号ブロックバーストの前記第一の伝送周期における時間シーケンス情報に基づき、前記同期信号ブロックバーストの第一の伝送周期における時間領域位置を確定するように構成され、
前記第一の受信ユニットは、
前記同期信号ブロックバーストの第一の伝送周期における時間領域位置に基づき、前記ネットワーク装置から送信された前記同期信号ブロックバーストの第二の同期信号ブロックを受信するように構成されることを特徴とする
請求項４０に記載の端末装置。
【請求項５１】
前記時間シーケンス情報が前記同期信号ブロックバーストのいずれかの２つの隣接する同期信号ブロックの間の時間領域ユニットの数を含み、前記端末装置は、
前記ネットワーク装置から送信された指示情報を受信し、前記指示情報が前記時間領域ユニットの数を示すことに用いられる第四の受信ユニットをさらに備え、
前記確定ユニットは具体的に、
前記第一の同期信号ブロックの前記第一の伝送周期における時間領域位置及び前記時間領域ユニットの数に基づき、前記同期信号ブロックの第一の伝送周期における時間領域位置を確定するように構成されることを特徴とする
請求項５０に記載の端末装置。
【請求項５２】
前記端末装置は、
前記ネットワーク装置から送信された指示情報を受信し、前記指示情報が前記時間領域ユニットの数を示すことに用いられる第四の受信ユニットをさらに備え、
前記確定ユニットは具体的に、
前記同期信号ブロックバーストの数に基づき、前記同期信号ブロックバーストの第一の伝送周期における時間領域位置を確定するように構成されることを特徴とする
請求項４０に記載の端末装置。
【請求項５３】
前記端末装置は、
前記ネットワーク装置から送信された指示情報を受信するように構成され、前記指示情報が前記同期信号ブロックバーストの前記第一の伝送周期における時間領域位置を示すことに用いられる第四の受信ユニットをさらに備え、
前記確定ユニットは具体的に、
前記指示情報に基づき、前記同期信号ブロックバーストの第一の伝送周期における時間領域位置を確定するように構成されることを特徴とする
請求項４０に記載の端末装置。
【請求項５４】
前記端末装置は、
前記ネットワーク装置から送信された指示情報を受信するように構成され、前記指示情報が複数の対応関係のうちの第一の対応関係を示すことに用いられ、前記対応関係が同期信号ブロックバーストの前記第一の伝送周期における時間シーケンスのマッピングである第四の受信ユニットをさらに備え、
前記確定ユニットは具体的に、
前記第一の対応関係に応じて、前記同期信号ブロックバーストの第一の伝送周期における時間領域位置を確定するように構成されることを特徴とする
請求項４０に記載の端末装置。
【請求項５５】
前記指示情報がブロードキャストメッセージ、システムメッセージ、無線リソース制御（ＲＲＣ）シグナリング、媒体アクセス制御（ＭＡＣ）制御エレメント（ＣＥ）シグナリング及びダウンリンク制御情報（ＤＣＩ）のうちの少なくとも一つに搬送されることを特徴とする
請求項５１−５４のいずれか一項に記載の端末装置。
【請求項５６】
前記第四の受信ユニットは具体的に、
前記ネットワーク装置から送信された前記指示情報をプライマリ搬送波で受信するように構成されることを特徴とする
請求項５１−５５のいずれか一項に記載の端末装置。
【請求項５７】
前記プライマリ搬送波は新しい無線（ＮＲ）又は長期進化（ＬＴＥ）システムにおける搬送波であることを特徴とする
請求項５６に記載の端末装置。
【請求項５８】
前記同期信号ブロックはプライマリ同期信号とセカンダリ同期信号を含むことを特徴とする
請求項４０−５７のいずれか一項に記載の端末装置。
【請求項５９】
前記同期信号ブロックはさらにブロードキャストチャネルと前記ブロードキャストチャネルを復調するための復調基準信号を含むことを特徴とする
請求項４０−５８のいずれかに記載の端末装置。
【請求項６０】
ネットワーク装置であって、
第一のセルの同期信号ブロックバーストの第一の伝送周期における時間領域位置を確定するように構成される確定ユニットと、
前記同期信号ブロックバーストの第一の伝送周期における時間領域位置に基づき、前記第一のセルの端末装置へ同期信号ブロックを送信するように構成される第一の送信ユニットとを備える、前記ネットワーク装置。
【請求項６１】
前記確定ユニットは具体的に、
前記第一のセルの物理セル識別子（ＰＣＩ）に基づき、前記同期信号ブロックバーストの第一の伝送周期における時間領域位置を確定するように構成されることを特徴とする
請求項６０に記載のネットワーク装置。
【請求項６２】
前記確定ユニットは具体的に、
前記ＰＣＩに基づき、前記第一の伝送周期における第一の位置に対する前記同期信号ブロックバーストのターゲット時間領域オフセットを確定し、
前記ターゲット時間領域オフセットに基づき、前記同期信号ブロックバーストの第一の伝送周期における時間領域位置を確定するように構成されることを特徴とする
請求項６１に記載のネットワーク装置。
【請求項６３】
前記確定ユニットは具体的に、
前記ＰＣＩ及びＰＣＩと時間領域オフセットとのマッピング関係に応じて、前記ターゲット時間領域オフセットを確定するように構成されることを特徴とする
請求項６２に記載のネットワーク装置。
【請求項６４】
前記確定ユニットは具体的に、
前記ＰＣＩと第一の情報に基づき、前記ターゲット時間領域オフセットを確定するように構成されることを特徴とする
請求項６２に記載のネットワーク装置。
【請求項６５】
前記第一の情報が前記同期信号ブロッバーストの数又は前記同期信号ブロックバーストの前記第一の伝送周期における時間シーケンス情報であり、前記確定ユニットは具体的に、
前記ＰＣＩと前記同期信号ブロックバーストの数に基づき、前記ターゲット時間領域オフセットを確定するように構成され、又は
前記ＰＣＩと前記同期信号ブロックバーストの前記第一の伝送周期における時間シーケンス情報に基づき、前記ターゲット時間領域オフセットを確定するように構成されることを特徴とする
請求項６４に記載のネットワーク装置。
【請求項６６】
前記確定ユニットは具体的に、
前記ＰＣＩと前記同期信号ブロックバーストの数に対して剰余演算を行って前記ターゲット時間領域オフセットを取得するように構成されることを特徴とする
請求項６５に記載のネットワーク装置。
【請求項６７】
前記ネットワーク装置は、
前記端末装置へ第二の情報を送信するように構成され、前記第二の情報が前記同期信号ブロックバーストの前記第一の伝送周期におけるターゲット時間領域オフセットを示すことに用いられる第二の送信ユニットをさらに備えることを特徴とする
請求項６２−６６のいずれか一項に記載のネットワーク装置。
【請求項６８】
前記第二の情報が予め設定された複数の時間領域オフセットにおける前記ターゲット時間領域オフセットの識別子であることを特徴とする
請求項６７に記載のネットワーク装置。
【請求項６９】
第一の情報又は第二の情報はシステムメッセージ、ブロードキャストメッセージ又は無線リソース制御シグナリングに搬送されることを特徴とする
請求項６４−６８のいずれか一項に記載のネットワーク装置。
【請求項７０】
前記ネットワーク装置は、
前記端末装置へ指示情報を送信するように構成され、前記指示情報が前記同期信号ブロックバーストのいずれかの２つの隣接する同期信号ブロック間の時間領域ユニットの数を示すことに用いられる第三の送信ユニットをさらに備えることを特徴とする
請求項６０に記載のネットワーク装置。
【請求項７１】
前記ネットワーク装置は、
前記端末装置へ指示情報を送信するように構成され、前記指示情報が前記同期信号ブロックバーストの数を示すことに用いられる第三の送信ユニットをさらに備えることを特徴とする
請求項６０に記載のネットワーク装置。
【請求項７２】
前記ネットワーク装置は、
前記端末装置へ指示情報を送信するように構成され、前記指示情報が前記同期信号ブロックバーストの第一の伝送周期における時間領域位置を示すことに用いられる第三の送信ユニットをさらに備えることを特徴とする
請求項６０に記載のネットワーク装置。
【請求項７３】
前記ネットワーク装置は、
前記端末装置へ指示情報を送信するように構成され、前記指示情報が複数の対応関係のうちの第一の対応関係を示すことに用いられ、前記対応関係が同期信号ブロックバーストの前記第一の伝送周期における時間シーケンスのマッピングである第三の送信ユニットをさらに備えることを特徴とする
請求項６０に記載のネットワーク装置。
【請求項７４】
前記指示情報がブロードキャストメッセージ、システムメッセージ、無線リソース制御（ＲＲＣ）シグナリング、媒体アクセス制御（ＭＡＣ）制御エレメント（ＣＥ）シグナリング及びダウンリンク制御情報（ＤＣＩ）のうちの少なくとも一つに搬送されることを特徴とする
請求項７０−７３のいずれか一項に記載のネットワーク装置。
【請求項７５】
前記第三の送信ユニットは具体的に、
前記端末装置へ前記指示情報をプライマリ搬送波で送信することを含むことを特徴とする
請求項７０−７４のいずれか一項に記載のネットワーク装置。
【請求項７６】
前記プライマリ搬送波は新しい無線（ＮＲ）又は長期進化（ＬＴＥ）システムにおける搬送波であることを特徴とする
請求項７５に記載のネットワーク装置。
【請求項７７】
前記同期信号ブロックはプライマリ同期信号とセカンダリ同期信号を含むことを特徴とする
請求項６０−７６のいずれか一項に記載のネットワーク装置。
【請求項７８】
前記同期信号ブロックはさらにブロードキャストチャネルと前記ブロードキャストチャネルを復調するための復調基準信号を含むことを特徴とする
請求項６０−７７のいずれかに記載のネットワーク装置。
【発明の詳細な説明】
【技術分野】
【０００１】
本出願は、２０１７年３月１５日に国際知的財産機関国際事務局に提出され、出願番号がＰＣＴ／ＣＮ２０１７／０７６８５６であり、発明名称が「信号伝送方法、端末装置及びネットワーク装置」であるＰＣＴ出願の優先権を主張し、その全ての内容が参照により本明細書に組み込まれる。
【０００２】
本出願の実施例は通信分野に関し、且つより具体的には、信号伝送方法、端末装置及びネットワーク装置に関する。
【背景技術】
【０００３】
マルチビーム（Ｍｕｌｔｉ−ｂｅａｍ）システムは、異なるビームでセル全体をカバーし、即ち各ビームが一つの小さい範囲をカバーし、時間的な掃引（ｓｗｅｅｐｉｎｇ）により、複数のビームでセル全体をカバーするという効果を実現する。いくつかの異なるビームで異なる同期信号（ＳＳ：Ｓｙｎｃ  Ｓｉｇｎａｌ）ブロック（Ｂｌｏｃｋ）が伝送され、一つの同期信号周期内の複数のＳＳ  Ｂｌｏｃｋが一つの同期信号ブロックバースト（ＳＳ  Ｂｌｏｃｋ  ｂｕｒｓｔ）に組み合わせられ、複数のＳＳ  Ｂｌｏｃｋ  ｂｕｒｓｔが一つのＳＳ  ｂｕｒｓｔに組み合わせられる。端末装置は、複数のＳＳ  Ｂｌｏｃｋを取得したい場合、一般的に同期信号周期全体内で検出する必要があるため、検出時間が長くなり、電力消費が大きくなる。
【発明の概要】
【発明が解決しようとする課題】
【０００４】
これに鑑み、本出願の実施例は、端末装置の計算の複雑さを低減し、検出時間を減らし、電力消費を節約することに有利な信号伝送方法、端末装置及びネットワーク装置を提供する。
【課題を解決するための手段】
【０００５】
第一の態様による信号伝送方法は、複数の同期信号ブロックの各同期信号ブロックの第一の周期における時間シーケンスを確定することと、前記各同期信号ブロックの前記第一の周期における時間シーケンスに基づき、前記複数の同期信号ブロックをそれぞれ受信することとを含む。
【０００６】
ここで同期信号ブロックの時間シーケンスとは同期信号ブロックに占有された時間領域リソースを指し、時間領域ユニットを単位とすることができる。
【０００７】
また、ここでの複数の同期信号ブロックは一つのセルの全て又は一部の同期信号ブロックを指すことができ、該端末装置によってアクセスされる現在のセルの隣接セルの全て又は一部の同期信号ブロックを含むことができる。
【０００８】
ここでの複数の同期信号ブロックが同一のセルの異なる同期信号ブロックである場合、該第一の周期の時間長が該セルのいずれかの同期信号ブロックの伝送周期に等しくてもよい。ここで、同期信号ブロックが異なることは同期信号ブロックに用いられるビームが異なることを指すことができ、同期信号ブロックに含まれる信号タイプ又は信号内容が異なることを指すこともできる。言い換えれば、第一の周期の時間長が同一のビームの伝送周期に等しくてもよい。
【０００９】
端末装置は複数の同期信号ブロックの一つの周期における時間シーケンスを予め確定することにより、固定された時間領域リソースで同期信号ブロックを受信することができ、それによって端末装置は計算の複雑さを大幅に低減し、検出時間を減らし、消費電力を低減することができる。
【００１０】
第二の態様による信号伝送方法は、端末装置が該端末装置の位置するセルの同期信号ブロックバーストの第一の伝送周期における時間領域位置を確定することと、該端末装置が該同期信号ブロックバーストの第一の伝送周期における時間領域位置に基づき、ネットワーク装置から送信された同期信号ブロックを受信することとを含む。
【００１１】
端末装置は自分が位置する同期信号ブロックバーストの一つの伝送周期における時間領域位置を予め確定することにより、固定された時間領域リソースでＳＳ  Ｂｌｏｃｋを受信することができ、それによって端末装置は計算の複雑さを大幅に低減し、検出時間を減らし、消費電力を低減することができる。
【００１２】
一つの可能な実施形態では、該端末装置が該端末装置の位置するセルの同期信号ブロックバーストの第一の伝送周期における時間領域位置を確定することは、該端末装置が該端末装置の位置するセルの物理セル識別子（ＰＣＩ：Ｐｈｙｓｉｃａｌ  Ｃｅｌｌ  Ｉｄｅｎｔｉｔｙ）に基づき、該同期信号ブロックバーストの第一の伝送周期における時間領域位置を確定することを含む。
【００１３】
選択可能に、ネットワーク装置は、ＰＣＩ及び同期信号ブロックバーストの時間領域位置とのマッピング関係を端末装置と予め定めることができる。ネットワーク装置は隣接するセルのＰＣＩを異なる同期信号ブロックバーストの時間領域位置に対応させることができる。
【００１４】
選択可能に、ネットワーク装置は一つの計算ルールを用いて全て又は一部のＰＣＩを可能な同期信号ブロックバーストの時間領域位置にマッピングし、そしてこの計算ルールを端末装置に通知することができ、端末装置はそれ自体が位置するセルのＰＣＩを取得した場合、予め設定された計算ルールに従ってそれ自体がどの時間領域位置に同期信号ブロックを検出する必要があるかを計算することができる。
【００１５】
一つの可能な実施形態では、該端末装置が該端末装置の位置するセルの物理セル識別子（ＰＣＩ）に基づき、該同期信号ブロックバーストの第一の伝送周期における時間領域位置を確定することは、該端末装置が該ＰＣＩに基づき、該第一の伝送周期における第一の位置に対する該同期信号ブロックバーストのターゲット時間領域オフセットを確定することと、該端末装置が該ターゲット時間領域オフセットに基づき、該同期信号ブロックバーストの第一の伝送周期における時間領域位置を確定することとを含む。
【００１６】
時間領域オフセットはある伝送周期における開始位置に対するあるセルの同期信号ブロックバーストの時間領域オフセットとして理解されてもよい。
【００１７】
ネットワーク装置は一定のルールを用いて異なるセルの同期信号ブロックの時間領域オフセットを設計し、これによりセル間の干渉を低減することができる。
【００１８】
一つの可能な実施形態では、該端末装置が該ＰＣＩに基づき、該第一の伝送周期における第一の位置に対する該同期信号ブロックバーストのターゲット時間領域オフセットを確定することは、該端末装置が該ＰＣＩ及びＰＣＩと時間領域オフセットとのマッピング関係に応じて、該ターゲット時間領域オフセットを確定することを含む。
【００１９】
一つの可能な実施形態では、該方法はさらに該端末装置が該ネットワーク装置から送信された第一の情報を受信することを含み、該端末装置が該ＰＣＩに基づき、該第一の伝送周期における第一の位置に対する該同期信号ブロックバーストのターゲット時間領域オフセットを確定することは、該端末装置が該ＰＣＩ及び該第一の情報に基づき、該ターゲット時間領域オフセットを確定することを含む。
【００２０】
一つの可能な実施形態では、該第一の情報が該同期信号ブロックバーストの数又は該同期信号ブロックバーストの該第一の伝送周期における時間シーケンス情報であり、該端末装置が該ＰＣＩと該第一の情報に基づき、該ターゲット時間領域オフセットを確定することは、該端末装置が該ＰＣＩと該同期信号ブロックバーストの数に基づき、該ターゲット時間領域オフセットを確定すること、又は該端末装置が該ＰＣＩと該同期信号ブロックバーストの該第一の伝送周期における時間シーケンス情報に基づき、該ターゲット時間領域オフセットを確定することを含む。
【００２１】
選択可能に、ネットワーク装置はＰＣＩと時間領域オフセットとのマッピング関係を予め設定することもできる。又は、ネットワーク装置と端末装置は一つのルールを定め、該ルールに従ってＰＣＩを計算することでそれに対応する時間領域オフセットを取得することができる。
【００２２】
一つの可能な実施形態では、該端末装置が該ＰＣＩと該同期信号ブロックバーストの数に基づき、該ターゲット時間領域オフセットを確定することは、該端末装置が該ＰＣＩと該同期信号ブロックバーストの数に基づいて剰余演算を行って該ターゲット時間領域オフセットを取得することを含む。
【００２３】
選択可能に、前記方法はさらに前記端末装置が前記ネットワーク装置から送信された前記同期信号ブロックバーストの第一の同期信号ブロックを受信することと、前記端末装置が前記第一の同期信号ブロックに基づき、前記端末装置の位置するセルのＰＣＩを確定することとを含み、前記端末装置が前記時間領域オフセットに基づき、ネットワーク装置から送信された同期信号ブロックを受信することは、前記端末装置が前記時間領域オフセットに基づき、前記ネットワーク装置から送信された前記同期信号ブロックバーストの第二の同期信号ブロックを受信することを含む。
【００２４】
一つの可能な実施形態では、該方法はさらに該端末装置が該ネットワーク装置から送信された第二の情報を受信し、該第二の情報が該同期信号ブロックバーストの該第一の伝送周期におけるターゲット時間領域オフセットを示すことに用いられることを含み、該端末装置が該端末装置の位置するセルの同期信号ブロックバーストの第一の伝送周期における時間領域位置を確定することは、該端末装置が該第二の情報に基づき、該ターゲット時間領域オフセットを確定することと、該端末装置が該ターゲット時間領域オフセットに基づき、該同期信号ブロックバーストの第一の伝送周期における時間領域位置を確定することとを含む。
【００２５】
ネットワーク装置は確定された時間領域オフセットを端末装置に直接通知し、又は一つの確定された時間領域オフセットと関連する情報でＰＣＩを置き換え、これによりシステムの柔軟性を向上させることができ、そしてＰＣＩ最適化の余分な負荷を軽減させることができる。
【００２６】
一つの可能な実施形態では、該第二の情報が該ターゲット時間領域オフセットの識別子であり、該端末装置が該第二の情報に基づき、該ターゲット時間領域オフセットを確定することは、該端末装置が該ターゲット時間領域オフセットの識別子に基づき、予め設定された複数の時間領域オフセットから該ターゲット時間領域オフセットを確定することを含む。
【００２７】
一つの可能な実施形態では、第一の情報又は第二の情報はシステムメッセージ、ブロードキャストメッセージ又は無線リソース制御シグナリングに搬送される。
【００２８】
一つの可能な実施形態では、該端末装置が該端末装置の位置するセルの同期信号ブロックバーストの第一の伝送周期における時間領域位置を確定することは、該端末装置が該ネットワーク装置から送信された該同期信号ブロックバーストの第一の同期信号ブロックを受信することと、該端末装置が該第一の同期信号ブロックの該第一の伝送周期における時間領域位置及び該同期信号ブロックバーストにおける該第一の伝送周期における時間シーケンス情報に基づき、該同期信号ブロックバーストの第一の伝送周期における時間領域位置を確定することとを含み、該端末装置が該同期信号ブロックバーストの第一の伝送周期における時間領域位置に基づき、ネットワーク装置から送信された同期信号ブロックを受信することは、該端末装置が該同期信号ブロックバーストの第一の伝送周期における時間領域位置に基づき、該ネットワーク装置から送信された該同期信号ブロックバーストの第二の同期信号ブロックを受信することを含む。
【００２９】
一つの可能な実施形態では、該時間シーケンス情報が該同期信号ブロックバーストのいずれかの２つの隣接する同期信号ブロック間の時間領域ユニットの数を含む場合、該方法はさらに該端末装置が該ネットワーク装置から送信された指示情報を受信し、該指示情報が該時間領域ユニットの数を示すことに用いられることを含み、該端末装置が該第一の同期信号ブロックの該第一の伝送周期における時間領域位置及び該同期信号ブロックバーストの該第一の伝送周期における時間シーケンス情報に基づき、該同期信号ブロックバーストの第一の伝送周期における時間領域位置を確定することは、該端末装置が該第一の同期信号ブロックの該第一の伝送周期における時間領域位置及び該時間領域ユニットの数に基づき、該同期信号ブロックバーストの第一の伝送周期における時間領域位置を確定することを含む。
【００３０】
ここでの時間領域ユニットは直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルであってもよく、マイクロタイムスロットなどであってもよい。
【００３１】
一つの可能な実施形態では、該方法はさらに該端末装置が該ネットワーク装置から送信された指示情報を受信し、該指示情報が該同期信号ブロックバーストの数を示すことに用いられることを含み、該端末装置が該端末装置の位置するセルの同期信号ブロックバーストの第一の伝送周期における時間領域位置を確定することは、該端末装置が該同期信号ブロックバーストの数に基づき、該同期信号ブロックバーストの第一の伝送周期における時間領域位置を確定することを含む。
【００３２】
一つの可能な実施形態では、該方法はさらに該端末装置が該ネットワーク装置から送信された指示情報を受信し、該指示情報が該同期信号ブロックバーストの該第一の伝送周期における時間領域位置を示すことに用いられることを含み、該端末装置が該端末装置の位置するセルの同期信号ブロックバーストの第一の伝送周期における時間領域位置を確定することは、該端末装置が該指示情報に基づき、該同期信号ブロックバーストの第一の伝送周期における時間領域位置を確定することを含む。
【００３３】
一つの可能な実施形態では、該方法はさらに該端末装置が該ネットワーク装置から送信された指示情報を受信し、該指示情報が複数の対応関係のうちの第一の対応関係を示すことに用いられ、該対応関係が同期信号ブロックバーストの該第一の伝送周期における時間シーケンスのマッピングであることを含み、該端末装置が該端末装置の位置するセルの同期信号ブロックバーストの第一の伝送周期における時間領域位置を確定することは、該端末装置が該第一の対応関係に応じて、該同期信号ブロックバーストの第一の伝送周期における時間領域位置を確定することを含む。
【００３４】
一つの可能な実施形態では、該指示情報がブロードキャストメッセージ、システムメッセージ、無線リソース制御（ＲＲＣ：Ｒａｄｉｏ  Ｒｅｓｏｕｒｃｅ  Ｃｏｎｔｒｏｌ）シグナリング、媒体アクセス制御（ＭＡＣ：Ｍｅｄｉａ  Ａｃｃｅｓｓ  Ｃｏｎｔｒｏｌ）制御エレメント（ＣＥ：Ｃｏｎｔｒｏｌ  Ｅｌｅｍｅｎｔ）シグナリングとダウンリンク制御情報（ＤＣＩ：Ｄｏｗｎｌｉｎｋ  Ｃｏｎｔｒｏｌ  Ｉｎｆｏｒｍａｔｉｏｎ）のうちの少なくとも一つに搬送される。
【００３５】
一つの可能な実施形態では、該端末装置が該ネットワーク装置から送信された指示情報を受信することは、該端末装置が該ネットワーク装置から送信された該指示情報をプライマリ搬送波で受信することを含む。
【００３６】
一つの可能な実施形態では、該プライマリ搬送波は新しい無線（ＮＲ：Ｎｅｗ  Ｒａｄｉｏ）又は長期進化（ＬＴＥ：Ｌｏｎｇ  Ｔｅｒｍ  Ｅｖｏｌｕｔｉｏｎ）システムにおける搬送波である。
【００３７】
一つの可能な実施形態では、同期信号ブロックが主にプライマリ同期信号（ＰＳＳ：Ｐｒｉｍａｒｙ  Ｓｙｎｃｈｒｏｎｉｚａｔｉｏｎ  Ｓｉｇｎａｌ）とセカンダリ同期信号（ＳＳＳ：Ｓｅｃｏｎｄａｒｙ  Ｓｙｎｃｈｒｏｎｉｚａｔｉｏｎ  Ｓｉｇｎａｌ）から構成され、いくつかの同期信号ブロックに物理ブロードキャストチャネル（ＰＢＣＨ：Ｐｈｙｓｉｃａｌ  Ｂｒｏａｄｃａｓｔ  Ｃｈａｎｎｅｌ）が含まれてもよく、さらにはＰＢＣＨを復調するための復調基準信号（ＤＭＲＳ：Ｄｅｍｏｄｕｌａｔｉｏｎ  Ｒｅｆｅｒｅｎｃｅ）が含まれる可能性がある。
【００３８】
第三の態様による信号伝送方法は、端末装置へ指示情報を送信し、該指示情報が複数の同期信号ブロックの各同期信号ブロックの第一の周期における時間シーケンスを確定するために該端末装置によって用いられることと、該各同期信号ブロックの該第一の周期における時間シーケンスに基づき、該端末装置へ該複数の同期信号ブロックを送信することとを含む。
【００３９】
複数の同期信号ブロックの一つの周期における時間シーケンスを端末装置に示すことにより、端末装置は計算の複雑さを大幅に低減し、検出時間を減らし、消費電力を低減することができる。
【００４０】
第四の態様による信号伝送方法は、ネットワーク装置が第一のセルの同期信号ブロックバーストの第一の伝送周期における時間領域位置を確定することと、該ネットワーク装置が該同期信号ブロックバーストの第一の伝送周期における時間領域位置に基づき、該第一のセルの端末装置へ同期信号を送信することとを含む。
【００４１】
ネットワーク装置は固定された時間領域リソースでＳＳ  Ｂｌｏｃｋを送信し、これにより端末装置は固定された時間領域リソースでＳＳ  Ｂｌｏｃｋを受信し、それによって端末装置は、計算の複雑さを大幅に低減し、検出時間を減らし、消費電力を低減することができる。
【００４２】
一つの可能な実施形態では、該ネットワーク装置が第一のセルの同期信号ブロックバーストの第一の伝送周期における時間領域位置を確定することは、該ネットワーク装置が該第一のセルの物理セル識別子（ＰＣＩ）に基づき、該同期信号ブロックバーストの第一の伝送周期における時間領域位置を確定することを含む。
【００４３】
一つの可能な実施形態では、該ネットワーク装置が該第一のセルの物理セル識別子（ＰＣＩ）に基づき、該同期信号ブロックバーストの第一の伝送周期における時間領域位置を確定することは、該ネットワーク装置が該ＰＣＩに基づき、該第一の伝送周期内の第一の位置に対する該同期信号ブロックバーストのターゲット時間領域オフセットを確定することと、該ネットワーク装置が該ターゲット時間領域オフセットに基づき、該同期信号ブロックバーストの第一の伝送周期における時間領域位置を確定することとを含む。
【００４４】
一つの可能な実施形態では、該ネットワーク装置が該ＰＣＩに基づき、該第一の伝送周期における第一の位置に対する該同期信号ブロックバーストのターゲット時間領域オフセットを確定することは、該ネットワーク装置が該ＰＣＩ及びＰＣＩと時間領域オフセットとのマッピング関係に応じて、該ターゲット時間領域オフセットを確定することを含む。
【００４５】
一つの可能な実施形態では、該ネットワーク装置が該ＰＣＩに基づき、該第一の伝送周期における第一の位置に対する該同期信号ブロックバーストのターゲット時間領域オフセットを確定することは、該ネットワーク装置が該ＰＣＩと第一の情報に基づき、該ターゲット時間領域オフセットを確定することを含む。
【００４６】
一つの可能な実施形態では、該第一の情報が該同期信号ブロックバーストの数又は該第一の伝送周期における該同期信号ブロックバーストの時間シーケンス情報であり、該ネットワーク装置が該ＰＣＩと第一の情報に基づき、該ターゲット時間領域オフセットを確定することは、該ネットワーク装置が該ＰＣＩと該同期信号ブロックバーストの数に基づき、該ターゲット時間領域オフセットを確定すること、又は該ネットワーク装置が該ＰＣＩと該同期信号ブロックバーストの該第一の伝送周期における時間シーケンス情報に基づき、該ターゲット時間領域オフセットを確定することを含む。
【００４７】
一つの可能な実施形態では、該ネットワーク装置が該ＰＣＩと該同期信号ブロックバーストの数に基づき、該ターゲット時間領域オフセットを確定することは、該ネットワーク装置が該ＰＣＩと該同期信号ブロックバーストの数に基づいて剰余演算を行って該ターゲット時間領域オフセットを取得することを含む。
【００４８】
一つの可能な実施形態では、該方法はさらに該ネットワーク装置が該端末装置へ第二の情報を送信し、該第二の情報が該同期信号ブロックバーストの該第一の伝送周期におけるターゲット時間領域オフセットを示すことに用いられることを含む。
【００４９】
一つの可能な実施形態では、該第二の情報は予め設定された複数の時間領域オフセットにおける該ターゲット時間領域オフセットの識別子である。
【００５０】
一つの可能な実施形態では、第一の情報又は第二の情報はシステムメッセージ、ブロードキャストメッセージ又は無線リソース制御シグナリングに搬送される。
【００５１】
一つの可能な実施形態では、該方法はさらに該ネットワーク装置が該端末装置へ指示情報を送信し、該指示情報が該同期信号ブロックバーストのいずれかの２つの隣接する同期信号ブロック間の時間領域ユニットの数を示すことに用いられることを含む。
【００５２】
一つの可能な実施形態では、該方法はさらに該ネットワーク装置が該端末装置へ指示情報を送信し、該指示情報が該同期信号ブロックバーストの数を示すことに用いられることを含む。
【００５３】
一つの可能な実施形態では、該方法はさらに該ネットワーク装置が該端末装置へ指示情報を送信し、該指示情報が該同期信号ブロックバーストの第一の伝送周期における時間領域位置を示すことに用いられることを含む。
【００５４】
一つの可能な実施形態では、該方法はさらに該ネットワーク装置が該端末装置へ指示情報を送信し、該指示情報が複数の対応関係のうちの第一の対応関係を示すことに用いられ、該対応関係が同期信号ブロックバーストの該第一の伝送周期における時間シーケンスのマッピングであることを含む。
【００５５】
一つの可能な実施形態では、該指示情報がブロードキャストメッセージ、システムメッセージ、無線リソース制御（ＲＲＣ）シグナリング、媒体アクセス制御（ＭＡＣ）制御エレメント（ＣＥ）シグナリング及びダウンリンク制御情報（ＤＣＩ）のうちの少なくとも一つに搬送される。
【００５６】
一つの可能な実施形態では、該ネットワーク装置が該端末装置へ指示情報を送信することは、該ネットワーク装置が該端末装置へ該指示情報をプライマリ搬送波で送信することを含む。
【００５７】
一つの可能な実施形態では、該プライマリ搬送波は新しい無線（ＮＲ）又は長期進化（ＬＴＥ）システムにおける搬送波である。
【００５８】
一つの可能な実施形態では、該同期信号ブロックはプライマリ同期信号とセカンダリ同期信号を含む。
【００５９】
一つの可能な実施形態では、該同期信号ブロックはさらにブロードキャストチャネルと該ブロードキャストチャネルを復調するための復調基準信号を含む。
【００６０】
第五の態様による端末装置は上記第一の態様又は第一の態様のいずれかの可能な実施形態における方法を実行することに用いられる。具体的には、該端末装置は、上記第一の態様又は第一の態様のいずれかの可能な実施形態における方法を実行するためのユニットを備える。
【００６１】
第六の態様による端末装置は上記第二の態様又は第二の態様のいずれかの可能な実施形態における方法を実行することに用いられる。具体的には、該端末装置は、上記第二の態様又は第二の態様のいずれかの可能な実施形態における方法を実行するためのユニットを備える。
【００６２】
第七の態様によるネットワーク装置は上記第三の態様又は第三の態様のいずれかの可能な実施形態における方法を実行することに用いられる。具体的には、該ネットワーク装置は、上記第三の態様又は第三の態様のいずれかの可能な実施形態における方法を実行するためのユニットを備える。
【００６３】
第八の態様によるネットワーク装置は上記第四の態様又は第四の態様のいずれかの可能な実施形態における方法を実行することに用いられる。具体的には、該ネットワーク装置は、上記第四の態様又は第四の態様のいずれかの可能な実施形態における方法を実行するためのユニットを備える。
【００６４】
第九の態様による端末装置は、メモリ、プロセッサ、入力インタフェース及び出力インタフェースを備える。ここで、メモリ、プロセッサ、入力インタフェース及び出力インタフェースはバスシステムを介して接続される。該メモリが命令を記憶するように構成され、該プロセッサが該メモリに記憶された、上記第一の態様又は第一の態様のいずれかの可能な実施形態における方法を実行するための命令を実行するように構成される。
【００６５】
第十の態様による端末装置は、メモリ、プロセッサ、入力インタフェース及び出力インタフェースを備える。ここで、メモリ、プロセッサ、入力インタフェース及び出力インタフェースはバスシステムを介して接続される。該メモリが命令を記憶するように構成され、該プロセッサが該メモリに記憶された、上記第二の態様又は第二の態様のいずれかの可能な実施形態における方法を実行するための命令を実行するように構成される。
【００６６】
第十一の態様によるネットワーク装置は、メモリ、プロセッサ、入力インタフェース及び出力インタフェースを備える。ここで、メモリ、プロセッサ、入力インタフェース及び出力インタフェースはバスシステムを介して接続される。該メモリが命令を記憶するように構成され、該プロセッサが該メモリに記憶された、上記第三の態様又は第三の態様のいずれかの可能な実施形態における方法を実行するための命令を実行するように構成される。
【００６７】
第十二の態様によるネットワーク装置は、メモリ、プロセッサ、入力インタフェース及び出力インタフェースを備える。ここで、メモリ、プロセッサ、入力インタフェース及び出力インタフェースはバスシステムを介して接続される。該メモリが命令を記憶するように構成され、該プロセッサが該メモリに記憶された、上記第四の態様又は第四の態様のいずれかの可能な実施形態における方法を実行するための命令を実行するように構成される。
【００６８】
第十三の態様によるコンピュータ記憶媒体は、上記第一の態様又は第一の態様のいずれかの可能な実施形態における方法、又は上記第二の態様又は第二の態様のいずれかの可能な実施形態における方法、又は上記第三の態様又は第三の態様のいずれかの可能な実施形態における方法、又は上記第四の態様又は第四の態様のいずれかの可能な実施形態における方法を実行するための、上記態様を実行するために設計されたプログラムを含むコンピュータソフトウェア命令を記憶するように構成される。
【００６９】
本出願のこれらの態様又は他の態様は以下の実施例の説明からより容易に明らかになる。
【図面の簡単な説明】
【００７０】
【図１】本出願の実施例の一つの応用シーンを示す概略図である。
【図２】同期信号ブロックバーストの一つの伝送周期における時間シーケンスを示す構成図である。
【図３】同期信号ブロックバーストの一つの伝送周期における時間シーケンスを示す別の構成図である。
【図４】同期信号ブロックバーストの一つの伝送周期における時間シーケンスを示す別の構成図である。
【図５】本出願の実施例による信号伝送方法を示す概略ブロック図である。
【図６】本出願の実施例による信号伝送方法を示す別の概略ブロック図である。
【図７】本出願の実施例による信号伝送方法を示す別の概略ブロック図である。
【図８】本出願の実施例による信号伝送方法を示す別の概略ブロック図である。
【図９】本出願の実施例による信号伝送方法を示す別の概略ブロック図である。
【図１０】本出願の実施例による信号伝送方法を示す別の概略ブロック図である。
【図１１】本出願の実施例による信号伝送方法を示す別の概略ブロック図である。
【図１２】本出願の実施例による端末装置を示す概略ブロック図である。
【図１３】本出願の実施例による端末装置を示す別の概略ブロック図である。
【図１４】本出願の実施例によるネットワーク装置を示す概略ブロック図である。
【図１５】本出願の実施例によるネットワーク装置を示す別の概略ブロック図である。
【図１６】本出願の実施例による端末装置を示す別の概略ブロック図である。
【図１７】本出願の実施例による端末装置を示す別の概略ブロック図である。
【図１８】本出願の実施例によるネットワーク装置を示す別の概略ブロック図である。
【図１９】本出願の実施例によるネットワーク装置を示す別の概略ブロック図である。
【発明を実施するための形態】
【００７１】
以下に本発明の実施例の図面を組み合わせながら、本出願の実施例における技術的解決策を明確に、全面的に説明する。
【００７２】
理解すべきものとして、本出願の実施例の技術的解決策は様々な通信システム、例えばグローバルモバイル通信（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）システム、符号分割多元アクセス（ＣＤＭＡ：Ｃｏｄｅ  Ｄｉｖｉｓｉｏｎ  Ｍｕｌｔｉｐｌｅ  Ａｃｃｅｓｓ）システム、帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、長期進化型（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、グローバル相互接続マイクロ波アクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、新しい無線（ＮＲ：Ｎｅｗ  Ｒａｄｉｏ）又は将来の５Ｇシステムなどに応用されてもよい。
【００７３】
特に、本出願の実施例の技術的解決策は、非直交マルチアクセス技術に基づく様々な通信システム、例えばスパースコードマルチアクセス（ＳＣＭＡ：Ｓｐａｒｓｅ  Ｃｏｄｅ  Ｍｕｌｔｉｐｌｅ  Ａｃｃｅｓｓ）システム、低密度署名（ＬＤＳ：Ｌｏｗ  Ｄｅｎｓｉｔｙ  Ｓｉｇｎａｔｕｒｅ）システムなどに応用されてもよく、当然ＳＣＭＡシステムとＬＤＳシステムが通信分野において他の名称と呼ばれてもよく、さらに、本発明の実施例の技術的解決策は非直交マルチアクセス技術を用いたマルチ搬送波伝送システム、例えば非直交マルチアクセス技術を用いた直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、フィルターバンクマルチ搬送波（ＦＢＭＣ：Ｆｉｌｔｅｒ  Ｂａｎｋ  Ｍｕｌｔｉ−Ｃａｒｒｉｅｒ）、汎用周波数分割多重（ＧＦＤＭ：Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ）、フィルタ直交周波数分割多重（Ｆ−ＯＦＤＭ：Ｆｉｌｔｅｒｅｄ−ＯＦＤＭ）システムなどに応用されてもよい。
【００７４】
本出願の実施例における端末装置はユーザ装置（ＵＥ：Ｕｓｅｒ  Ｅｑｕｉｐｍｅｎｔ）、アクセス端末、加入者ユニット、加入者局、移動局、移動ステーション、遠隔局、遠隔端末、移動装置、ユーザ端末、端末、無線通信装置、ユーザエージェント又はユーザ装置と呼ばれてもよい。アクセス端末はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）ステーション、パーソナルデジタル処理（ＰＤＡ：Ｐｅｒｓｏｎａ１  Ｄｉｇｉｔａ１  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける端末装置又は将来の進化した公衆陸上モバイルネットワーク（ＰＬＭＮ：Ｐｕｂｌｉｃ  Ｌａｎｄ  Ｍｏｂｉｌｅ  Ｎｅｔｗｏｒｋ）における端末装置などであってもよく、本出願の実施例では限定されない。
【００７５】
本出願の実施例におけるネットワーク装置は端末装置と通信するための装置であってもよく、該ネットワーク装置はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、ＬＴＥシステムにおける進化型基地局（ｅＮＢ又はｅＮｏｄｅＢ：Ｅｖｏｌｕｔｉｏｎａｌ  ＮｏｄｅＢ）であってもよく、クラウド無線アクセスネットワーク（ＣＲＡＮ：Ｃｌｏｕｄ  Ｒａｄｉｏ  Ａｃｃｅｓｓ  Ｎｅｔｗｏｒｋ）シーンにおける無線コントローラであってもよく、又は該ネットワーク装置は中継局、アクセスポイント、車載デバイス、ウェアラブルデバイス及び将来の５Ｇネットワークにおけるネットワーク装置又は将来の進化したＰＬＭＮネットワークにおけるネットワーク装置などであってもよく、本発明の実施例では限定されない。
【００７６】
図１は本出願の実施例の一つの応用シーンを示す概略図である。図１における通信システムは端末装置１０とネットワーク装置２０を備えることができる。ネットワーク装置２０は端末装置１０に通信サービスを提供することに用いられ且つコアネットワークにアクセスし、端末装置１０はネットワーク装置２０から送信された同期信号、ブロードキャスト信号などを検索してネットワークにアクセスし、それによってネットワークとの通信を行う。図１に示す矢印は端末装置１０とネットワーク装置２０の間のセルラーリンクによるアップリンク／ダウンリンク送信を表すことができる。
【００７７】
ＬＴＥシステムでは、端末装置が最初に隣接セルにアクセスする場合、又は隣接セルを測定する必要がある場合、セル検索プロセスが必要であり、端末装置はセル物理ＩＤを取得し、そして同時にシステムの時間シーケンス同期及び周波数同期情報を取得するためにセル検索を実行し、このプロセスがシステム帯域幅とは無関係であり、端末装置は直接検出及び取得することができる。物理層は物理セル識別子（ＰＣＩ：Ｐｈｙｓｉｃａｌ  Ｃｅｌｌ  Ｉｄｅｎｔｉｔｉｅｓ）によって異なるセルを区分する。物理セルＩＤが合計５０４つであり、それらは１６８つの異なるバースト（Ｎ（２）＿ＩＤとして表され、範囲が０−１６７である）に分けられ、各バーストに３つの異なるバースト内識別子（Ｎ（２）＿ＩＤとして表され、範囲が０−２である）が含まれる。したがって、物理セルＩＤ（Ｎｃｅｌｌ＿ＩＤとして表される）は次の式で計算されてもよい。
【数１】
2020515141.tif 000003
【００７８】
ＰＳＳはバースト内ＩＤ即ちＮ（２）＿ＩＤ値を伝送することに用いられ、ＳＳＳはバースト内ＩＤ即ちＮ（１）＿ＩＤ値を伝送することに用いられる。ＦＤＤモードに対して、ＰＳＳがタイムスロット０とタイムスロット１０の最後のＯＦＤＭシンボルに周期的に表示され、ＳＳＳがタイムスロット０とタイムスロット１０の最後から２番目のシンボルに周期的に表示される。ＴＤＤモードに対して、ＰＳＳがサブフレーム１、６の３番目のＯＦＤＭシンボルに周期的に表示され、ＳＳＳがサブフレーム０、５の最後のシンボルに周期的に表示される。
【００７９】
ＮＲ通信システムでは、マルチアンテナアレイ、ビームフォーミングなどの設計が導入され、例えば元の一つのセルを複数のビームで覆い、ビームゲインが高周波数帯域の使用によって引き起こされる有効範囲の減少をある程度補償することができ、同時に相互干渉を減らし、システム性能を高めることもできる。
【００８０】
ＮＲに同期信号ブロック（ＳＳ  Ｂｌｏｃｋ）が導入され、主にＰＳＳとＳＳＳから構成され、いくつかのＳＳ  ＢｌｏｃｋにＰＢＣＨが含まれてもよく、さらにはＰＢＣＨを復調するための復調基準信号（ＤＭＲＳ：Ｄｅｍｏｄｕｌａｔｉｏｎ  Ｒｅｆｅｒｅｎｃｅ）が含まれる可能性があり、本出願の実施例ではＳＳ  ｂｌｏｃｋに含まれる信号のタイプが限定されない。ＮＲでは、同期信号の長さが増加してもよく、例えば１２７になることができ、同時に周波数領域で重複してもよく、その結果、同期帯域幅は整数倍増加する。同期信号がＳＳ  Ｂｌｏｃｋを最小ユニットとし、複数のＳＳ  Ｂｌｏｃｋが一つのＳＳ  Ｂｌｏｃｋバーストに組み合わせられ、図２に示すように、同期信号が即ちＳＳ  Ｂｌｏｃｋバーストの伝送周期２０ｍｓであり、ここでのＳＳ  Ｂｌｏｃｋバーストの伝送周期が同一のセル内の同じ同期信号ブロックの伝送周期として考えられてもよく、例えば４つのビームを用いてＳＳ  Ｂｌｏｃｋ＃１、ＳＳ  Ｂｌｏｃｋ＃２、ＳＳ  Ｂｌｏｃｋ＃３、ＳＳ  Ｂｌｏｃｋ＃４を送信することができ、ここで各ＳＳ  Ｂｌｏｃｋが図２に示すように分離されなくてもよく、一定の単位の時間領域ユニットで分離されてもよい。一つのＳＳ  Ｂｌｏｃｋバーストの伝送周期内で、異なるＳＳ  Ｂｌｏｃｋ間の時間シーケンス図はさらに図４に示す信号が交差する様子であってもよい。
【００８１】
図５は本出願の実施例による信号伝送方法１００を示す概略ブロック図である。図５に示すように、該方法１００は端末装置によって実行されてもよく、具体的にユーザ装置によって実行されてもよく、該方法１００はＳ１１０とＳ１２０を含む。
【００８２】
Ｓ１１０において、複数の同期信号ブロックの各同期信号ブロックの第一の周期における時間シーケンスを確定する。
【００８３】
Ｓ１２０において、該各同期信号ブロックの該第一の周期における時間シーケンスに基づき、該複数の同期信号ブロックをそれぞれ受信する。
【００８４】
まず、説明すべきものとして、ここで同期信号ブロックの時間シーケンスとは同期信号ブロックに占有された時間領域リソースを指し、時間領域ユニットを単位とすることができる。例えば、第一の周期のリソースが時間領域で７つのＯＦＤＭシンボルを含み、ネットワーク装置が端末装置へ３つの同期信号ブロックを送信し、そしてネットワーク装置がこの３つの同期信号ブロックの第一の周期におけるどのＯＦＤＭシンボルに位置するかを一定の方式で端末装置に通知する場合、端末装置はネットワーク装置によって通知されたＯＦＤＭシンボルでこの３つの同期信号ブロックを直接受信することができる。
【００８５】
選択可能に、該第一の周期の時間長が該複数の同期信号ブロックの伝送周期に等しくてもよい。
【００８６】
理解すべきものとして、本出願の実施例における周期の長さが従来技術における同期信号の周期と同様であってもよく、同一のセルのいずれかのＳＳ  Ｂｌｏｃｋの伝送周期であってもよく、同一のセルのＳＳ  Ｂｌｏｃｋを伝送する同一のビームの伝送周期であってもよい。具体的に図２又は図３に示す周期が２０ｍｓであってもよい。ここで、ＳＳ  Ｂｌｏｃｋが同じであることは含まれる信号のタイプが完全に同じであり、そして含まれる信号の内容も完全に同じであることを指す。２つのＳＳ  Ｂｌｏｃｋに含まれる信号のタイプが異なり、又は含まれる信号のタイプが同じであるが信号の内容が完全に同じではなく、又は２つのＳＳ  Ｂｌｏｃｋに用いられるビームが異なる場合、この２つのＳＳ  Ｂｌｏｃｋは異なる。例えば、ＳＳ  Ｂｌｏｃｋ＃１がＰＳＳとＳＳＳを含み、ＰＳＳ伝送のＮ（２）＿ＩＤが０であり、ＳＳＳ伝送のＮ（２）＿ＩＤが１０であり、用いられるビームがビーム１であり、ＳＳ  Ｂｌｏｃｋ＃２もＰＳＳとＳＳＳを含み、ＰＳＳ伝送のＮ（２）＿ＩＤが０であり、ＳＳＳ伝送のＮ（２）＿ＩＤが１０であり、用いられるビームがビーム２又はＳＳ  Ｂｌｏｃｋ＃２がＰＳＳ、ＳＳＳ及びＰＢＣＨを含む場合、ＳＳ  Ｂｌｏｃｋ＃１とＳＳ  Ｂｌｏｃｋ＃２は異なる。
【００８７】
また、理解すべきものとして、端末装置はさらに一つの周期内のあるブロックの時間領域リソースが複数のＳＳ  Ｂｌｏｃｋを受信することに用いられることを確定することができ、そのため端末装置はその部分の時間領域リソースのみで該複数のＳＳ  Ｂｌｏｃｋを検出すればよい。例えば、ネットワーク装置が一つの周期内で端末装置へ５つのＳＳ  Ｂｌｏｃｋを送信する場合、端末装置は一つの周期における２番目の時間領域ユニット〜６番目の時間領域ユニットでＳＳ  Ｂｌｏｃｋを受信するが、２番目〜４番目の時間領域ユニットだけで該５つのＳＳ  Ｂｌｏｃｋを検出する可能性があることを確定することができる。即ち、端末装置は各ＳＳ  Ｂｌｏｃｋがどの具体的なリソースで伝送されるかを確定する必要がなく、ほぼ位置を知ることだけでよい。
【００８８】
したがって、本出願の実施例による信号伝送方法では、端末装置は複数のＳＳ  Ｂｌｏｃｋの一つの周期における時間シーケンスを予め確定することにより、固定された時間領域リソースでＳＳ  Ｂｌｏｃｋを受信することができ、それによって端末装置は計算の複雑さを大幅に低減し、検出時間を減らし、消費電力を低減することができる。
【００８９】
図６は本出願の実施例による信号伝送方法２００を示す概略ブロック図である。図６に示すように、該方法２００はＳ２１０とＳ２２０を含む。
【００９０】
Ｓ２１０において、端末装置は該端末装置の位置するセルの同期信号ブロックバーストの第一の伝送周期における時間領域位置を確定する。
【００９１】
Ｓ２２０において、該端末装置は該同期信号ブロックバーストの第一の伝送周期における時間領域位置に基づき、ネットワーク装置から送信された同期信号ブロックを受信する。
【００９２】
上述したように、端末装置は自分が位置する同期信号ブロックバーストの一つの伝送周期における時間領域位置に位置するかさえ確定すれば、端末装置は対応する位置にネットワーク装置から送信された同期信号ブロックを受信することができる。理解すべきものとして、該同期信号ブロックバーストがネットワーク装置によって端末装置に構成されるが、ネットワーク装置が実際に端末装置に送信する同期信号ブロックの数は該同期信号ブロックバーストの数に等しい可能性があり、該同期信号ブロックバーストの数より小さい可能性もある。例えば、ネットワーク装置はセル１に５つの同期信号ブロックを構成し、ネットワーク装置はセル１における端末装置へ３つの同期信号ブロックを送信する。したがって、端末装置は確定された５つの同期信号ブロックの時間領域位置に該３つの同期信号ブロックを検出することができる。
【００９３】
したがって、本出願の実施例による信号伝送方法では、端末装置は自分が位置する同期信号ブロックバーストの一つの伝送周期における時間領域位置を予め確定することにより、固定された時間領域リソースでＳＳ  Ｂｌｏｃｋを受信することができ、それによって端末装置は計算の複雑さを大幅に低減し、検出時間を減らし、消費電力を低減することができる。
【００９４】
選択可能に、本出願の実施例では、該端末装置が該端末装置の位置するセルの同期信号ブロックバーストの第一の伝送周期における時間領域位置を確定することは、該端末装置が該端末装置の位置するセルの物理セル識別子（ＰＣＩ）に基づき、該同期信号ブロックバーストの第一の伝送周期における時間領域位置を確定することを含む。
【００９５】
上述したように、ＬＴＥの物理セル識別子（ＰＣＩ）は異なるセルの無線信号を区分し、関連するセルのカバレッジ内に同じ物理セル識別子がないことを保証することに用いられる。ＬＴＥのセル検索プロセスではセルＩＤグループ化の形態を用いることが確定され、まずＳＳＳによってセルグループＩＤを確定し、次にＰＳＳによって具体的なセルＩＤを確定する。ＰＣＩ計画の原則は次の通りである。
【００９６】
１）衝突のない原則（Ｃｏｌｌｉｓｉｏｎ−ｆｒｅｅ  ｐｒｉｎｃｉｐｌｅ）において、２つの隣接するセルに同じＰＣＩが割り当てられている場合、重複エリア内の最大１つのセルがＵＥによって検出され、セル検索を初期行う時にそのうちの一つのセルのみに同期することができ、該セルが必ずしも最適ではなく、この状況が衝突（ｃｏｌｌｉｓｉｏｎ）と呼ばれる。したがって、ＰＣＩ計画を行う時に、ＰＣＩのセル多重化距離との間隔が少なくとも４層のサイト（ＣＤＭＡ  ＰＮコード計画の経験値を参照）以上であり、セルカバレッジ半径の５倍より大きいであることを保証する必要がある。
【００９７】
２）混乱のない（ｃｏｎｆｕｓｉｏｎ−ｆｒｅｅ）原則において、一つのセルの２つの隣接するセルが同じＰＣＩを有する場合、ＵＥがＩＤのＡであるセルにハンドオーバすることをリクエストすると、ｅＮＢはどちらがターゲットセルであるかを知らない。この状況が混乱（ｃｏｎｆｕｓｉｏｎ）と呼ばれる。
【００９８】
したがって、ネットワーク装置は、ＰＣＩと同期信号ブロックバーストの時間領域位置とのマッピング関係を端末装置と予め定めることができる。上記から分かるように、多くのＰＣＩが存在する可能性があり、１つの同期信号ブロックバーストの伝送周期はＰＣＩの数より少ない可能性があり、言い換えれば、複数のＰＣＩは一つの可能な同期信号ブロックバーストの時間領域位置に対応する可能性がある。具体的には、ネットワーク装置は隣接するセルのＰＣＩを異なる同期信号ブロックバーストの時間領域位置に対応させることができる。例えば、一つの同期信号ブロックバーストの伝送周期が７つのＯＦＤＭシンボルを含み、そして一つの同期信号ブロックバーストが３つの連続したシンボルを占有すると仮定すると、該一つの同期信号ブロックバーストの伝送周期における同期信号ブロックバーストの可能な位置がシンボル１−３、シンボル２−４、シンボル３−５、シンボル４−６及びシンボル５−７という５つの可能な位置を含み、したがって、ネットワーク装置はＰＣＩを５つのグループに分けることができ、各グループが一つのグループの可能な同期信号ブロックバーストの位置に対応し、そしてこのような構成情報を端末に通知し、端末装置がそれ自体の位置するセルのＰＣＩを知ると、どの時間領域位置に同期信号ブロックを検出するかを確定することができる。
【００９９】
理解すべきものとして、ネットワーク装置は一つの計算ルールを用いて全て又は一部のＰＣＩを上記の５つの可能な同期信号ブロックバーストの時間領域位置にマッピングし、そしてこの計算ルールを端末装置に通知することができ、端末装置はそれ自体が位置するセルのＰＣＩを取得した場合、予め設定された計算ルールに従ってそれ自体がどの時間領域位置に同期信号ブロックを検出する必要があるかを計算することができる。具体的には、該予め設定されたルールは関数例えばハッシュ（Ｈａｓｈ）関数である可能性がある。
【０１００】
選択可能に、本出願の実施例では、該端末装置が該端末装置の位置するセルの物理セル識別子（ＰＣＩ）に基づき、該同期信号ブロックバーストの第一の伝送周期における時間領域位置を確定することは、該端末装置が該ＰＣＩに基づき、該第一の伝送周期における第一の位置に対する該同期信号ブロックバーストのターゲット時間領域オフセットを確定することと、該端末装置が該ターゲット時間領域オフセットに基づき、該同期信号ブロックバーストの第一の伝送周期における時間領域位置を確定することとを含む。
【０１０１】
図７と図８に示すように、時間領域オフセットはある伝送周期における開始位置に対するあるセルの同期信号ブロックバーストの時間領域オフセットとして理解されてもよい。理解すべきものとして、図７と図８が概略的な説明だけであり、時間領域オフセットが同期信号ブロックバーストの開始位置であると狭義に理解されることができず、図７と図８におけるある伝送周期の開始位置に対する２番目の同期信号ブロックの時間領域オフセットであってもよい。
【０１０２】
ＮＲシステムでは、ネットワーク装置が端末装置へ複数の同期信号ブロックを送信する可能性があり、つまり複数の時間領域ユニットを占有する可能性がある。端末装置は、ネットワーク装置がどの時間領域ユニットで同期信号ブロックを送信するかを知らない場合、端末装置は伝送周期全体のリソースで検出する可能性が高く、目に見えないように端末の複雑さと消費電力などが増加する。本出願の実施例では、ネットワーク装置はセルの同期信号ブロックバーストの時間シーケンスを予め設定し、そして該同期信号ブロックバーストの時間領域オフセットを端末装置に通知することができ、したがって、端末装置は同期信号ブロックバースト全体によって占有された時間領域リソースを知ることがきる。ネットワーク装置は一定のルールを用いて異なるセルの同期信号ブロックの時間領域オフセットを設計し、これによりセル間の干渉を低減することができる。
【０１０３】
選択可能に、本出願の実施例では、該端末装置が該ＰＣＩに基づき、該第一の伝送周期における第一の位置に対する該同期信号ブロックバーストのターゲット時間領域オフセットを確定することは、該端末装置が該ＰＣＩ及びＰＣＩと時間領域オフセットとのマッピング関係に応じて、該ターゲット時間領域オフセットを確定することを含む。
【０１０４】
選択可能に、本出願の実施例では、該方法はさらに該端末装置が該ネットワーク装置から送信された第一の情報を受信することを含み、該端末装置が該ＰＣＩに基づき、該第一の伝送周期における第一の位置に対する該同期信号ブロックバーストのターゲット時間領域オフセットを確定することは、該端末装置が該ＰＣＩ及び該第一の情報に基づき、該ターゲット時間領域オフセットを確定することを含む。
【０１０５】
選択可能に、本出願の実施例では、該第一の情報が該同期信号ブロックバーストの数又は該同期信号ブロックバーストの該第一の伝送周期における時間シーケンス情報であり、該端末装置が該ＰＣＩと該第一の情報に基づき、該ターゲット時間領域オフセットを確定することは、該端末装置が該ＰＣＩと該同期信号ブロックバーストの数に基づき、該ターゲット時間領域オフセットを確定すること、又は該端末装置が該ＰＣＩと該同期信号ブロックバーストの該第一の伝送周期における時間シーケンス情報に基づき、該ターゲット時間領域オフセットを確定することを含む。
【０１０６】
選択可能に、本出願の実施例では、該端末装置が該ＰＣＩと該同期信号ブロックバーストの数に基づき、該ターゲット時間領域オフセットを確定することは、該端末装置が該ＰＣＩと該同期信号ブロックバーストの数に基づいて剰余演算を行って該ターゲット時間領域オフセットを取得することを含む。
【０１０７】
上述したＰＣＩに基づいて同期信号ブロックバーストの時間領域位置と同様に、ネットワーク装置はＰＣＩと時間領域オフセットとのマッピング関係を予め設定することもできる。又は、ネットワーク装置と端末装置は一つのルールを定め、該ルールに従ってＰＣＩを計算することでそれに対応する時間領域オフセットを取得することができる。例えば、時間領域オフセットが同期信号ブロックバーストの一つの伝送周期における開始位置であると仮定すると、ネットワーク装置は一定の設計ルールによって複数のＰＣＩを一つの開始位置に対応させるように予め設定することができる。図７に示すように、一つの伝送周期が７つのシンボルである場合、同期信号ブロックバーストに対応する可能な時間領域位置がシンボル１−４、シンボル２−５、シンボル３−６及びシンボル４−７という４つの位置を含み、言い換えれば、可能な時間領域オフセットが１、２、３又は４という４つの値である場合、ネットワーク装置はＰＣＩを４つのグループに分けることができ、一つのグループが時間領域オフセット１に対応し、一つのグループが時間領域オフセット２に対応し、一つのグループが時間領域オフセット３に対応し、別のグループが時間領域オフセット４に対応する。端末装置がそれ自体の位置するセルのＰＣＩを確定した場合、端末装置はこのようなマッピング関係によって位置するセルのＰＣＩに対応する時間領域オフセットを確定することができ、そして端末装置は自分が位置する同期信号ブロックバーストの時間シーケンスを知り、つまり端末装置は同期信号ブロックバーストが４つの連続した時間領域ユニットで送信されることを知り、したがって、端末装置は同期信号ブロックバーストの可能な位置を知ることができ、それによって確定された位置に同期信号ブロックを検出する。
【０１０８】
また、例えば、ネットワーク装置は様々なＰＣＩを計算すると上記の４つのオフセットのみを取得することがきるようにルールを予め設定し、このようにして端末装置は、それ自体の位置するセルのＰＣＩを知った後、予め設定されたルールに従ってそれ自体の位置するセルの同期信号ブロックバーストの時間領域オフセットを計算することができ、そしてさらに計算された時間領域オフセット及びプロトコルによって定められた時間シーケンスに基づいて該同期信号ブロックバーストの具体的な時間領域位置を確定することができる。例えば、該予め設定されたルールが他の情報、例えば端末装置の位置するセルの同期信号ブロックバーストの数、又は同期信号ブロックバーストのマッピング方法と組み合わせられてもよい。
【０１０９】
以下にいくつかの可能な実施例を挙げて上記の予め設定されたルールを説明する。
１．モジュラス処理（Ｍｏｄｕｌｕｓ  ｐｒｏｃｅｓｓｉｎｇ）において、ＰＣＩ  ｍｏｄ  Ｇによってオフセット位置（Ｇがプロトコルによって定められた値、又はシステム構成（例えば組み合わせにおけるＳＳ  ｂｌｏｃｋマッピング方法、又はバースト内の全てのＳＳ  ｂｌｏｃｋ数）に基づいて確定された一つの整数、又はシステムブロードキャストによってＵＥに通知されたある値である）が得られる。
２．モジュラス処理において、ＰＣＩ  ｍｏｄ  Ｇ＋ｏｆｆｓｅｔによってオフセット位置が得られる。
３．モジュラス処理において、（ＰＣＩ  ｍｏｄ  Ｇ）＊Ｊによってオフセット位置が得られる。
４．モジュラス処理において、（ＰＣＩ  ｍｏｄ  Ｇ＋ｏｆｆｓｅｔ）＊Ｊによってオフセット位置が得られる。
５．モジュラス処理において、（ＰＣＩ  ｍｏｄ  Ｇ）＊Ｊ＋ｏｆｆｓｅｔによってオフセット位置が得られる。
【０１１０】
上述したいくつかのパラメータＧ、ｏｆｆｓｅｔ、Ｊはプロトコルによって定められた値、又はシステム構成（例えば組み合わせにおけるＳＳ  ｂｌｏｃｋマッピング方法、又はバースト内の全てのＳＳ  ｂｌｏｃｋ数）に基づいて確定された一つの整数、又はシステムブロードキャストによってＵＥに通知されたある値というオプション（それぞれが独立したオプションである）であってもよい。
【０１１１】
ＰＣＩが同期信号ブロックバーストの数と組み合わせることを例として説明する。
【０１１２】
図７に示すように、同期信号ブロックバーストの数が４であり、ＰＣＩ  ｍｏｄ  ４が３つの値であり、０、１、２、３を含み、即ち、端末装置の位置するセルのＰＣＩが１６２であり、１６２  ｍｏｄ  ４結果が２である場合、端末装置は該セルの同期信号ブロックバーストの時間領域オフセットが２であることを知ることができ、ＰＣＩをグループに分け、剰余が０であるグループ、剰余が１であるグループ、剰余が２であるグループと剰余が３であるグループという４つのグループに分けるため、ネットワーク装置は隣接するセルに異なるグループのＰＣＩを割り当てることができ、それによって隣接するセルの同期信号ブロックの干渉を減少することができる。
【０１１３】
ＰＣＩが同期信号ブロックバーストの時間シーケンスと組み合わせることを例として説明する。
【０１１４】
図９に示すように、同期信号ブロックバーストにおける各同期信号ブロックの間の間隔が１である場合、２つの時間領域オフセットを設定することができ、同様に、ＰＣＩを２つのグループに分けることができ、一つのグループが時間領域オフセット０に対応し、一つのグループが時間領域オフセット１に対応し、ネットワーク装置は隣接するセルに異なるグループのＰＣＩを割り当てることができ、それによって隣接するセルの同期信号ブロックの干渉を減少することができる。
【０１１５】
理解すべきものとして、上記の様々な計算ルールがいずれも概略的な説明だけであり、本出願に対する限定を構成せず、そしてＰＣＩがどの情報と組み合わせて本出願の実施例における時間領域オフセットを確定することができるかは例だけである。
【０１１６】
また、理解すべきものとして、ネットワーク装置はさらに別のルールを予め設定することができ、その結果、端末装置とネットワーク装置は時間領域オフセットだけでなく、ＰＣＩ及び他の情報に基づいて同期信号ブロックバーストの時間領域位置を直接確定することができる。
【０１１７】
選択可能に、本出願の実施例では、該方法はさらに該端末装置が該ネットワーク装置から送信された該同期信号ブロックバーストの第一の同期信号ブロックを受信することと、該端末装置が該第一の同期信号ブロックに基づき、該端末装置の位置するセルのＰＣＩを確定することとを含み、該端末装置が該時間領域オフセットに基づき、ネットワーク装置から送信された同期信号ブロックを受信することは、該端末装置が該時間領域オフセットに基づき、該ネットワーク装置から送信された該同期信号ブロックバーストの第二の同期信号ブロックを受信することを含む。
【０１１８】
つまり、端末装置はそのうちの一つの同期信号ブロックを検出した後、同期信号ブロックの内容に基づいて位置するセルのＰＣＩを確定することができ、さらに端末装置は該ＰＣＩに基づいて位置するセルの同期信号ブロックバーストの時間領域オフセットを確定することができ、さらに端末装置は全ての同期信号ブロックによって占有された時間領域リソースがどの位置にあるかを確定することができ、したがって、端末装置は確定された時間領域位置に他の同期信号ブロックを検出することができる。
【０１１９】
選択可能に、ネットワーク装置は同期信号ブロックを送信する前に、システムメッセージ又はブロードキャストメッセージによって端末装置へ該端末装置の位置するセルのＰＣＩを送信することもでき、したがって、端末装置は該ＰＣＩに基づき、全ての同期信号ブロックに占有された時間領域リソースの位置を確定することができ、したがって、端末装置は確定された時間領域位置に全ての同期信号ブロックを検出することができる。
【０１２０】
選択可能に、本出願の実施例では、該方法はさらに該端末装置が該ネットワーク装置から送信された第二の情報を受信し、該第二の情報が該同期信号ブロックバーストの該第一の伝送周期におけるターゲット時間領域オフセットを示すことに用いられることを含み、該端末装置が該端末装置の位置するセルの同期信号ブロックバーストの第一の伝送周期における時間領域位置を確定することは該端末装置が該第二の情報に基づき、該ターゲット時間領域オフセットを確定することと、該端末装置が該ターゲット時間領域オフセットに基づき、該同期信号ブロックバーストの第一の伝送周期における時間領域位置を確定することとを含む。
【０１２１】
上記時間領域オフセットがネットワーク装置によって上記の様々な方式で確定されてもよく、ネットワーク装置は確定された時間領域オフセットを端末装置に直接通知し、それによって端末装置はネットワーク装置によって設定された同期信号ブロックバーストの時間領域位置を知ることができる。ネットワーク装置は該値を端末装置に直接通知することができ、一つの数字を通知することもでき、その結果、端末装置はこの数字に基づいてそれ自体と関連する時間領域オフセットを直接確定することができる。
【０１２２】
ネットワーク装置は確定された時間領域オフセットを端末装置に直接通知し、又は確定された時間領域オフセットと関連する一つの情報でＰＣＩを置き換え、これによりシステムの柔軟性を向上させることができ、そしてＰＣＩ最適化の余分な負荷を軽減させることができる。
【０１２３】
選択可能に、本出願の実施例では、該第二の情報が該ターゲット時間領域オフセットの識別子であり、該端末装置が該第二の情報に基づき、該ターゲット時間領域オフセットを確定することは、該端末装置が該ターゲット時間領域オフセットの識別子に基づき、予め設定された複数の時間領域オフセットから該ターゲット時間領域オフセットを確定することを含む。
【０１２４】
ネットワーク装置は設定された複数の時間領域オフセットを端末に通知することができ、そしてネットワーク装置は位置するセルの同期信号ブロックバーストの時間領域オフセットの識別子を端末装置に通知し、したがって、端末装置は複数の時間領域オフセットからネットワーク装置によって確定された時間領域オフセットを選択することができる。例えば、上記ネットワーク装置が０、１、２、３つの時間領域オフセットを設定し、ＰＣＩが１６２であるセル内の端末装置に対して、オフセットが２であり、ネットワーク装置は２つのビットで該４つの時間領域オフセットを識別することができ、例えば、時間領域オフセットが０であることを００で識別し、時間領域オフセットが３であることを１１で識別することができ、したがって、ネットワーク装置は端末装置へビット値が１０である指示情報を送信することができ、それによって端末装置は該４つの時間領域オフセットから、ネットワーク装置がオフセット２、即ちシンボル３−６で同期信号ブロックバーストを構成したことを確定することができ、端末装置は該シンボル３−６で、ネットワーク装置から送信された同期信号を検出することができる。
【０１２５】
選択可能に、本出願の実施例では、該端末装置が該端末装置の位置するセルの同期信号ブロックバーストの第一の伝送周期における時間領域位置を確定することは、該端末装置が該ネットワーク装置から送信された該同期信号ブロックバーストの第一の同期信号ブロックを受信することと、該端末装置が該第一の同期信号ブロックの該第一の伝送周期における時間領域位置及び該同期信号ブロックバーストの該第一の伝送周期における時間シーケンス情報に基づき、該同期信号ブロックバーストの第一の伝送周期における時間領域位置を確定することとを含み、該端末装置が該同期信号ブロックバーストの第一の伝送周期における時間領域位置に基づき、ネットワーク装置から送信された同期信号ブロックを受信することは、該端末装置が該同期信号ブロックバーストの第一の伝送周期における時間領域位置に基づき、該ネットワーク装置から送信された該同期信号ブロックバーストの第二の同期信号ブロックを受信することを含む。
【０１２６】
具体的には、端末装置がそのうちのある同期信号ブロックのある伝送周期における位置を検出し、同時に端末装置が該同期信号ブロックの識別子を知ることができ、ネットワーク装置が同期信号ブロックバーストの伝送周期における時間シーケンスを予め設定し、例えば、ネットワーク装置が連続した４つのシンボルで送信するように同期信号ブロックバーストを構成する場合、端末装置はそのうちのいずれかの同期信号ブロックを検出すると、端末装置は他の同期信号の位置する時間領域リソースを知ることができ、それによって端末装置は確定された他の同期信号ブロックの時間領域リソースで他の同期信号ブロックを検出することができる。
【０１２７】
選択可能に、本出願の実施例では、該時間シーケンス情報が該同期信号ブロックバーストのいずれかの２つの隣接する同期信号ブロック間の時間領域ユニットの数を含む場合、該方法はさらに該端末装置が該ネットワーク装置から送信された指示情報を受信し、該指示情報が該時間領域ユニットの数を示すことに用いられることを含み、該端末装置が該第一の同期信号ブロックの該第一の伝送周期における時間領域位置及び該同期信号ブロックの該第一の伝送周期における時間シーケンス情報に基づき、該同期信号ブロックバーストの第一の伝送周期における時間領域位置を確定することは、該端末装置が該第一の同期信号ブロックの該第一の伝送周期における時間領域位置及び該時間領域ユニットの数に基づき、該同期信号ブロックバーストの第一の伝送周期における時間領域位置を確定することを含む。
【０１２８】
選択可能に、ネットワーク装置はさらに指示情報を端末装置に予め送信することができ、指示情報が該同期信号ブロックバーストにおける隣接する２つの同期信号ブロックの間の時間領域ユニットの数を示すことに用いられ、端末装置がそのうちの一つの同期信号ブロックの時間シーケンスを検出した場合、端末装置は該指示情報によって示される該同期信号ブロックバーストにおける隣接する２つの同期信号ブロックの間の時間領域ユニットの数に基づき、他の同期信号ブロックの可能な時間シーケンスを確定することができる。
【０１２９】
さらに、いずれかの２つの同期信号ブロックの間の時間領域ユニットの数が同じである場合、ネットワーク装置が端末のみへ送信することができる指示情報は一つの間隔数のみを示すことができ、ネットワーク装置がさらに同期信号ブロックバーストの数を端末装置に通知する場合、端末装置はネットワーク装置によって設定された同期信号ブロックバーストの可能な時間領域位置を確定することができる。いずれかの２つの同期信号ブロックの間の時間領域ユニットの数が同じであるか否かに関わらず、ネットワーク装置から端末装置に送信される指示情報が全て複数の間隔を示すことができ、したがって、ネットワーク装置は同期信号ブロックバーストの数を端末装置に通知する必要がなく、端末装置は、ネットワーク装置によって設定された同期信号ブロックバーストの可能な時間領域位置を確定することができる。
【０１３０】
例えば、ネットワーク装置がセル１における端末装置へ５つのＳＳ  Ｂｌｏｃｋを構成し、そしてネットワーク装置が一つのＳＳ  ｂｕｒｓｔ周期内の１、３、５、７及び９番目の時間領域ユニットで伝送するように構成するため、ネットワーク装置は２つのＳＳ  Ｂｌｏｃｋごとに１つの時間領域ユニットが隔てられることを端末装置に通知することができ、端末装置がそのうちの一つ例えば３番目の時間領域ユニットにおけるＳＳ  Ｂｌｏｃｋを検出した場合、端末装置は該ＳＳ  ｂｕｒｓｔ周期内の他の単数の時間領域ユニットでＳＳ  Ｂｌｏｃｋを順次検出することができ、ネットワーク装置は隣接する２つのＳＳ  Ｂｌｏｃｋ間の間隔が等しいこと及び隔てられる時間領域ユニットの数を端末装置に通知するとともに、ＳＳ  Ｂｌｏｃｋの総数を端末装置に通知することもできる。また、例えば、いずれかの２つのＳＳ  Ｂｌｏｃｋの間の時間領域ユニットの数が等しくなくてもよく、ネットワーク装置は、（Ｋ−１）個の間隔の数を端末装置に通知することができ、ここでＫがＳＳ  Ｂｌｏｃｋの数であり、端末装置がそのうちの一つのＳＳ  Ｂｌｏｃｋを検出した場合、該（Ｋ−１）個の間隔の数に基づいて他のＳＳ  Ｂｌｏｃｋの一つのＳＳ  ｂｕｒｓｔ周期における時間領域リソース位置を確定することができる。又は、ネットワーク装置はさらに１番目のＳＳ  Ｂｌｏｃｋの一つのＳＳ  ｂｕｒｓｔ周期における時間領域リソース位置を端末装置に通知することができ、従って、端末装置は該複数のＳＳ  ｂｌｏｃｋにおける２つのＳＳ  Ｂｌｏｃｋごとの間隔及び１番目のＳＳ  Ｂｌｏｃｋの位置に基づき、他のＳＳ  Ｂｌｏｃｋの位置を直接確定することができる。
【０１３１】
選択可能に、本出願の実施例では、該方法はさらに該端末装置が該ネットワーク装置から送信された指示情報を受信し、該指示情報が該同期信号ブロックバーストの数を示すことに用いられることを含み、該端末装置が該端末装置の位置するセルの同期信号ブロックバーストの第一の伝送周期における時間領域位置を確定することは、該端末装置が該同期信号ブロックバーストの数に基づき、該同期信号ブロックバーストの第一の伝送周期における時間領域位置を確定することを含む。
【０１３２】
さらに、ネットワーク装置は端末装置に対して複数の対応関係を設定し、そして端末装置に送信する。ネットワーク装置は端末装置へ指示情報を送信し、該指示情報が同期信号ブロックバーストの数を示すことに用いられ、端末装置は指示情報によって示される数に基づいて複数の対応関係において第一の対応関係を確定し、そして該第一の対応関係に応じて該各同期信号ブロックの第一の周期における時間シーケンスを確定する。
【０１３３】
具体的には、ネットワーク装置は端末装置に送信されることができるＳＳ  Ｂｌｏｃｋの数とこれらのＳＳ  Ｂｌｏｃｋの一つのＳＳ  ｂｕｒｓｔ周期における時間シーケンス関係を予め設定することができる。例えば、ネットワーク装置はそれぞれ一つのＳＳ  ｂｕｒｓｔ周期の先頭の３つの時間領域ユニットで伝送するように３つのＳＳ  Ｂｌｏｃｋを構成することができ、又はネットワーク装置はそれぞれ一つのＳＳ  ｂｕｒｓｔ周期の１、３、５、７、９の時間領域ユニットで伝送するように５つのＳＳ  Ｂｌｏｃｋを構成することなどがある。又はネットワーク装置はさらに３つのＳＳ  Ｂｌｏｃｋの時間シーケンスと５つのＳＳ  Ｂｌｏｃｋの時間シーケンスを同時に構成することができる。要約すると、この指示モードでは、ＳＳ  Ｂｌｏｃｋの時間シーケンスは通常静的に設定され又は半静的に設定される。
【０１３４】
選択可能に、本出願の実施例では、該方法はさらに該端末装置が該ネットワーク装置から送信された指示情報を受信し、該指示情報が該同期信号ブロックバーストの該第一の伝送周期における時間領域位置を示すことに用いられることを含み、該端末装置が該端末装置の位置するセルの同期信号ブロックバーストの第一の伝送周期における時間領域位置を確定することは、該端末装置が該指示情報に基づき、該同期信号ブロックバーストの第一の伝送周期における時間領域位置を確定することを含む。
【０１３５】
具体的には、ネットワーク装置はさらにＳＳ  Ｂｌｏｃｋにおける各ＳＳ  Ｂｌｏｃｋバーストの一つのＳＳ  ｂｕｒｓｔ周期における具体的な位置を端末装置に動的に示すことができる。例えば、ネットワーク装置は送信される３つのＳＳ  Ｂｌｏｃｋがそれぞれ一つのＳＳ  Ｂｕｒｓｔ周期の先頭の３つの時間領域ユニットに構成されることを端末装置に直接示すことができる。端末装置は該指示情報を受信した後、該ＳＳ  Ｂｕｒｓｔ周期の先頭の３つの時間領域ユニットで該３つのＳＳ  Ｂｌｏｃｋを直接検出することができる。
【０１３６】
選択可能に、本出願の実施例では、該方法はさらに該端末装置が該ネットワーク装置から送信された指示情報を受信し、該指示情報が複数の対応関係のうちの第一の対応関係を示すことに用いられ、該対応関係が同期信号ブロックバーストの該第一の伝送周期における時間シーケンスのマッピングであることを含み、該端末装置が該端末装置の位置するセルの同期信号ブロックバーストの第一の伝送周期における時間領域位置を確定することは、該端末装置が該第一の対応関係に応じて、該同期信号ブロックバーストの第一の伝送周期における時間領域位置を確定することを含む。
【０１３７】
具体的には、ネットワーク装置は該ＳＳ  Ｂｌｏｃｋバーストの一つのＳＳ  ｂｕｒｓｔ周期における時間領域位置を予め固定することができ、そして複数の対応関係を予め設定することができる。例えば、ネットワーク装置は５つのＳＳ  Ｂｌｏｃｋを端末装置に送信するように予め構成し、そして該５つのＳＳ  Ｂｌｏｃｋを送信するための時間領域リソースを一つのＳＳ  ｂｕｒｓｔ周期において固定する。例えば、該５つのＳＳ  Ｂｌｏｃｋを一つのＳＳ  ｂｕｒｓｔ周期内の先頭の５つの時間領域ユニットに固定することができ、ネットワーク装置はさらに該５つのＳＳ  Ｂｌｏｃｋを一つのＳＳ  ｂｕｒｓｔ周期内の２、３、５、７、８番目の時間領域ユニットに固定することができる。ネットワーク装置はこの２つの構成関係を保存し、そして該２つの構成関係を端末装置に送信することができ、ネットワーク装置が端末装置に５つのＳＳ  Ｂｌｏｃｋを送信する時に、まず端末装置へ一つの指示情報を送信し、そのうちの一つの構成関係を示すことができ、このようにして端末装置は該指示情報を受信した後、構成関係を知ることができ、指示情報によって示される構成関係を用いてネットワークから送信されたＳＳ  Ｂｌｏｃｋを受信する。例えば、一つのｂｉｔの指示情報を用いて構成関係を示すことができ、上記第一の構成関係を０で表し、上記第二の構成関係を１で表すことができる。
【０１３８】
理解すべきものとして、上記の様々な指示方式が概略的な説明だけであり、ネットワーク装置はさらに上記の様々な指示方式の組み合わせを用い、端末装置が複数のＳＳ  Ｂｌｏｃｋの一つのＳＳ  ｂｕｒｓｔ周期における時間領域位置を確定することを実現することができる。
【０１３９】
選択可能に、本出願の実施例では、該指示情報はブロードキャストメッセージ、システムメッセージ、無線リソース制御（ＲＲＣ：Ｒａｄｉｏ  Ｒｅｓｏｕｒｃｅ  Ｃｏｎｔｒｏｌ）シグナリング、ＭＡＣ  ＣＥシグナリングとＤＣＩシグナリングのうちの少なくとも一つに搬送されてもよい。
【０１４０】
具体的には、端末装置がネットワーク装置とネットワーク接続を確立しない場合、セルのブロードキャストメッセージ又はシステムメッセージを介して上記の様々な指示情報を送信することができ、端末装置がネットワーク装置とＲＲＣ接続を確立した後、規定又はニーズに応じて、ネットワーク装置はＲＲＣシグナリング、ＭＡＣ  ＣＥシグナリング又はＤＣＩシグナリングを介して上記の様々な指示情報を送信することができる。ＳＳ  Ｂｌｏｃｋの一つのＳＳ  ｂｕｒｓｔ周期における時間領域位置がプロトコルによって規定されてもよく、ネットワーク装置によって静的又は半静的に設定されてもよい。
【０１４１】
選択可能に、本出願の実施例では、ネットワーク装置から送信された指示情報を受信することは、該ネットワーク装置から送信された該指示情報をプライマリ搬送波で受信することを含む。
【０１４２】
ＬＴＥシステム又はＮＲシステムでの搬送波が全てプライマリ搬送波として用いられてもよく、そのセカンダリ搬送波におけるＳＳ  Ｂｌｏｃｋの一つの周期における時間シーケンスをプライマリ搬送波で端末装置に通知することができ、言い換えれば、プライマリ搬送波で上記の様々なシグナリングを介して端末装置へ指示情報を送信することができる。
【０１４３】
説明すべきものとして、ネットワーク装置から端末装置に送信される複数のＳＳ  Ｂｌｏｃｋがネットワーク装置によって設定された一つのセル内の全てのＳＳ  Ｂｌｏｃｋの数であってもよく、一部のＳＳ  Ｂｌｏｃｋの数であってもよく、本出願の実施例では、端末装置に対して、セルに構成されたＳＳ  Ｂｌｏｃｋの数と関連せず、ネットワーク装置から送信されたＳＳ  Ｂｌｏｃｋの数のみと関連する。ネットワーク装置から端末装置に送信される複数のＳＳ  Ｂｌｏｃｋはさらに端末装置の位置するセルの隣接セルの一部又は全てのＳＳ  Ｂｌｏｃｋを含むことができる。
【０１４４】
選択可能に、本出願の実施例では、異なるＳＳ  Ｂｌｏｃｋが異なるビームで伝送されてもよく、ネットワーク装置は端末装置へシステムメッセージ又はブロードキャストメッセージに用いられるビーム範囲のビームに対応するＳＳ  Ｂｌｏｃｋを送信することができ、例えば、図２におけるＳＳ  Ｂｌｏｃｋ＃１がビーム１を用い、ＳＳ  Ｂｌｏｃｋ＃２がビーム２を用い、ＳＳ  Ｂｌｏｃｋ＃３がビーム３を用い、ネットワーク装置がビーム２を用いて図２におけるＳＳ  Ｂｌｏｃｋ＃２の時間領域位置にブロードキャストメッセージ又はシステムメッセージを送信する場合、ネットワーク装置はＳＳ  Ｂｌｏｃｋ＃３の時間領域位置を端末装置に通知することができ、したがって、端末装置は示される時間領域位置にＳＳ  Ｂｌｏｃｋを直接受信することができる。
【０１４５】
また、理解すべきものとして、上記ネットワーク装置によって予め設定された様々なＳＳ  Ｂｌｏｃｋの時間領域位置がネットワーク装置によって設定されたセル内の最大ＳＳ  Ｂｌｏｃｋ数の各ＳＳ  Ｂｌｏｃｋの時間領域位置であってもよい。ネットワーク装置が端末装置へ一部のＳＳ  Ｂｌｏｃｋ数を送信する場合、端末装置は依然として上記の設定された時間領域位置に検出する。例えば、セル内の最大ＳＳ  Ｂｌｏｃｋ数が４であり、そしてネットワーク装置によって構成された４つのＳＳ  Ｂｌｏｃｋにおける各ＳＳ  Ｂｌｏｃｋがそれぞれ一つのＳＳ  ｂｕｒｓｔ周期内の先頭の４つの時間領域ユニットのそれぞれに対応する。ネットワーク装置が端末装置へ３つのＳＳ  Ｂｌｏｃｋを送信する場合、端末装置は依然として先頭の４つの時間領域ユニットで検出し、端末装置は先頭の３つの時間領域ユニットで３つのＳＳ  Ｂｌｏｃｋを検出するが、最後の時間領域ユニットで検出しない可能性がある。又は、最後の３つの時間領域ユニットで検出するが、１番目の時間領域ユニットで検出しないことも可能である。本出願の実施例はこれに限定されない。
【０１４６】
また、理解すべきものとして、本出願の実施例における時間領域ユニットはＯＦＤＭシンボルであってもよく、タイムスロット、マイクロスロットなどであってもよい。
【０１４７】
図１０は本出願の実施例による信号伝送方法３００を示す概略ブロック図である。図１０に示すように、該方法３００はネットワーク装置によって実行されてもよく、具体的に基地局によって実行されてもよく、該方法３００はＳ３１０とＳ３２０を含む。
【０１４８】
Ｓ３１０において、端末装置へ指示情報を送信し、該指示情報が複数の同期信号ブロックの各同期信号ブロックの第一の周期における時間シーケンスを確定するために該端末によって用いられる。
【０１４９】
Ｓ３２０において、該各同期信号ブロックの該第一の周期における時間シーケンスに基づき、該端末装置へ該複数の同期信号ブロックを送信する。
【０１５０】
したがって、本出願の実施例による信号伝送方法では、複数のＳＳ  Ｂｌｏｃｋの一つのＳＳ  ｂｕｒｓｔ周期における時間シーケンスを端末装置に示すことにより、端末装置は計算の複雑さを大幅に低減し、検出時間を減らし、消費電力を低減することができる。
【０１５１】
選択可能に、本出願の実施例では、該複数の同期信号ブロックが同一のセルの異なる同期信号ブロックである場合、該第一の周期の時間長が該複数の同期信号ブロックの伝送周期に等しい。
【０１５２】
図１１は本出願の実施例による信号伝送方法４００を示す概略ブロック図である。図１１に示すように、該方法４００は以下を含む。
【０１５３】
Ｓ４１０において、ネットワーク装置は第一のセルの同期信号ブロックバーストの第一の伝送周期における時間領域位置を確定する。
【０１５４】
Ｓ４２０において、該ネットワーク装置は該同期信号ブロックバーストの第一の伝送周期における時間領域位置に基づき、該第一のセルの端末装置へ同期信号ブロックを送信する。
【０１５５】
したがって、本出願の実施例の信号伝送方法では、ネットワーク装置は固定された時間領域リソースでＳＳ  Ｂｌｏｃｋを送信し、これにより端末装置は固定された時間領域リソースでＳＳ  Ｂｌｏｃｋを受信し、それによって端末装置は、計算の複雑さを大幅に低減し、検出時間を減らし、消費電力を低減することができる。
【０１５６】
選択可能に、本出願の実施例では、該ネットワーク装置が第一のセルの同期信号ブロックバーストの第一の伝送周期における時間領域位置を確定することは、該ネットワーク装置が該第一のセルの物理セル識別子（ＰＣＩ）に基づき、該同期信号ブロックバーストの第一の伝送周期における時間領域位置を確定することを含む。
【０１５７】
選択可能に、本出願の実施例では、該ネットワーク装置が該第一のセルの物理セル識別子（ＰＣＩ）に基づき、該同期信号ブロックバーストの第一の伝送周期における時間領域位置を確定することは、該ネットワーク装置が該ＰＣＩに基づき、該第一の伝送周期における第一の位置に対する該同期信号ブロックバーストのターゲット時間領域オフセットを確定することと、該ネットワーク装置が該ターゲット時間領域オフセットに基づき、該同期信号ブロックバーストの第一の伝送周期における時間領域位置を確定することとを含む。
【０１５８】
選択可能に、本出願の実施例では、該ネットワーク装置が該ＰＣＩに基づき、該第一の伝送周期における第一の位置に対する該同期信号ブロックバーストのターゲット時間領域オフセットを確定することは、該ネットワーク装置が該ＰＣＩ及びＰＣＩと時間領域オフセットとのマッピング関係に応じて、該ターゲット時間領域オフセットを確定することを含む。
【０１５９】
選択可能に、本出願の実施例では、該ネットワーク装置が該ＰＣＩに基づき、該第一の伝送周期における第一の位置に対する該同期信号ブロックバーストのターゲット時間領域オフセットを確定することは、該ネットワーク装置が該ＰＣＩと第一の情報に基づき、該ターゲット時間領域オフセットを確定することを含む。
【０１６０】
選択可能に、本出願の実施例では、該第一の情報が該同期信号ブロックバーストの数又は該同期信号ブロックバーストの該第一の伝送周期における時間シーケンス情報であり、該ネットワーク装置が該ＰＣＩと第一の情報に基づき、該ターゲット時間領域オフセットを確定することは、該ネットワーク装置が該ＰＣＩと該同期信号ブロックバーストの数に基づき、該ターゲット時間領域オフセットを確定すること、又は該ネットワーク装置が該ＰＣＩと該同期信号ブロックバーストの該第一の伝送周期における時間シーケンス情報に基づき、該ターゲット時間領域オフセットを確定することを含む。
【０１６１】
選択可能に、本出願の実施例では、該ネットワーク装置が該ＰＣＩと該同期信号ブロックバーストの数に基づき、該ターゲット時間領域オフセットを確定することは、該ネットワーク装置が該ＰＣＩと該同期信号ブロックバーストの数に基づいて剰余演算を行って該ターゲット時間領域オフセットを取得することを含む。
【０１６２】
選択可能に、本出願の実施例では、該方法はさらに該ネットワーク装置が該端末装置へ第二の情報を送信し、該第二の情報が該同期信号ブロックバーストの該第一の伝送周期におけるターゲット時間領域オフセットを示すことに用いられることを含む。
【０１６３】
選択可能に、本出願の実施例では、該第二の情報は予め設定された複数の時間領域オフセットにおけるターゲット時間オフセットの識別子である。
【０１６４】
選択可能に、本出願の実施例では、第一の情報又は第二の情報はシステムメッセージ、ブロードキャストメッセージ又は無線リソース制御シグナリングに搬送される。
【０１６５】
選択可能に、本出願の実施例では、該方法はさらに該ネットワーク装置が該端末装置へ指示情報を送信し、該指示情報が該同期信号ブロックバーストのいずれかの２つの隣接する同期信号ブロック間の時間領域ユニットの数を示すことに用いられることを含む。
【０１６６】
選択可能に、本出願の実施例では、該方法はさらに該ネットワーク装置が該端末装置へ指示情報を送信し、該指示情報が該同期信号ブロックバーストの数を示すことに用いられることを含む。
【０１６７】
選択可能に、本出願の実施例では、該方法はさらに該ネットワーク装置が該端末装置へ指示情報を送信し、該指示情報が該同期信号ブロックバーストの第一の伝送周期における時間領域位置を示すことに用いられることを含む。
【０１６８】
選択可能に、本出願の実施例では、該方法はさらに該ネットワーク装置が該端末装置へ指示情報を送信し、該指示情報が複数の対応関係のうちの第一の対応関係を示すことに用いられ、該対応関係が同期信号ブロックバーストの該第一の伝送周期における時間シーケンスのマッピングであることを含む。
【０１６９】
選択可能に、本出願の実施例では、該指示情報がブロードキャストメッセージ、システムメッセージ、無線リソース制御（ＲＲＣ）シグナリング、媒体アクセス制御（ＭＡＣ）制御エレメント（ＣＥ）シグナリング及びダウンリンク制御情報（ＤＣＩ）のうちの少なくとも一つに搬送される。
【０１７０】
選択可能に、本出願の実施例では、該ネットワーク装置が該端末装置へ指示情報を送信することは、該ネットワーク装置が該端末装置へ該指示情報をプライマリ搬送波で送信することを含む。
【０１７１】
選択可能に、本出願の実施例では、該プライマリ搬送波は新しい無線又は長期進化（ＬＴＥ）システムにおける搬送波である。
【０１７２】
選択可能に、本出願の実施例では、該同期信号ブロックはプライマリ同期信号とセカンダリ同期信号を含む。
【０１７３】
選択可能に、本出願の実施例では、該同期信号ブロックはさらにブロードキャストチャネルと該ブロードキャストチャネルを復調するための復調基準信号を含む。
【０１７４】
理解すべきものとして、ネットワーク装置で説明されるネットワーク装置と端末装置のインタラクション及び関連特性、機能などが端末装置の関連特性、機能に対応する。即ち、端末装置はネットワーク装置へどのような情報を送信し、それに応じてネットワーク装置はどのような情報を受信する。簡潔にするために、ここでは説明を省略する。
【０１７５】
また、本出願の様々な実施例では、上記各プロセスの番号の大きさが実行順序を意味せず、各プロセスの実行順序はその機能と内部論理で確定されるべきであり、本出願の実施例の実施プロセスのいかなる限定を構成すべきではないと理解すべきである。
【０１７６】
図１２は本出願の実施例による信号を伝送するための端末装置５００を示す概略ブロック図である。図１２に示すように、該端末装置５００は、確定ユニット５１０と第一の受信ユニット５２０を備える。
【０１７７】
確定ユニット５１０は、複数の同期信号ブロックの各同期信号ブロックの第一の周期における時間シーケンスを確定するように構成される。
【０１７８】
第一の受信ユニット５２０は該各同期信号ブロックの該第一の周期における時間シーケンスに基づき、該複数の同期信号ブロックをそれぞれ受信するように構成される。
【０１７９】
したがって、本出願の実施例による信号を伝送するための端末装置では、複数のＳＳ  Ｂｌｏｃｋの一つの周期における時間シーケンスを予め確定することにより、固定された時間領域リソースでＳＳ  Ｂｌｏｃｋを受信することができ、それによって端末装置は計算の複雑さを大幅に低減し、検出時間を減らし、消費電力を低減することができる。
【０１８０】
理解すべきものとして、本出願の実施例による信号を伝送するための端末装置５００は本出願の方法１００における端末装置に対応してもよく、且つ端末装置５００の各ユニットの上記と他の操作及び／又は機能はそれぞれ図５の方法における端末装置の対応するプロセスを実現するためのものであり、簡潔するために、ここでは説明を省略する。
【０１８１】
図１３は本出願の実施例による端末装置６００を示す概略ブロック図である。図１３に示すように，該端末装置６００は、確定ユニット６１０と第一の受信ユニット６２０を備える。
【０１８２】
確定ユニット６１０は該端末装置の位置するセルの同期信号ブロックバーストの第一の伝送周期における時間領域位置を確定するように構成される。
【０１８３】
第一の受信ユニット６２０は該同期信号ブロックバーストの第一の伝送周期における時間領域位置に基づき、ネットワーク装置から送信された同期信号ブロックを受信するように構成される。
【０１８４】
したがって、本出願の実施例による信号伝送方法では、端末装置はそれの位置するセルの同期信号ブロックバーストの一つの伝送周期における時間領域位置を予め確定することにより、固定された時間領域リソースでＳＳ  Ｂｌｏｃｋを受信することができ、それによって端末装置は計算の複雑さを大幅に低減し、検出時間を減らし、消費電力を低減することができる。
【０１８５】
選択可能に、本出願の実施例では、前記確定ユニット６１０は具体的に前記端末装置の位置するセルの物理セル識別子（ＰＣＩ）に基づき、前記同期信号ブロックバーストの第一の伝送周期における時間領域位置を確定するように構成される。
【０１８６】
選択可能に、本出願の実施例では、前記確定ユニット６１０は具体的に前記ＰＣＩに基づき、前記第一の伝送周期における第一の位置に対する前記同期信号ブロックバーストのターゲット時間領域オフセットを確定し、前記ターゲット時間領域オフセットに基づき、前記同期信号ブロックバーストの第一の伝送周期における時間領域位置を確定するように構成される。
【０１８７】
選択可能に、本出願の実施例では、前記確定ユニット６１０は具体的に前記ＰＣＩ及びＰＣＩと時間領域オフセットとのマッピング関係に応じて、前記ターゲット時間領域オフセットを確定するように構成される。
【０１８８】
選択可能に、本出願の実施例では、前記端末装置はさらに前記ネットワーク装置から送信された第一の情報を受信するように構成される第二の受信ユニット６３０を備え、前記確定ユニット６２０は具体的に前記ＰＣＩと前記第一の情報に基づき、前記ターゲット時間領域オフセットを確定するように構成される。
【０１８９】
選択可能に、本出願の実施例では、前記第一の情報が前記同期信号ブロックバーストの数又は前記同期信号ブロックバーストの前記第一の伝送周期における時間シーケンス情報であり、前記確定ユニット６１０は具体的に前記ＰＣＩと前記同期信号ブロックバーストの数に基づき、前記ターゲット時間領域オフセットを確定するように構成され、又は前記ＰＣＩと前記同期信号ブロックバーストの前記第一の伝送周期における時間シーケンス情報に基づき、前記ターゲット時間領域オフセットを確定するように構成される。
【０１９０】
選択可能に、本出願の実施例では、前記確定ユニット６１０は具体的に前記ＰＣＩ及び前記同期信号ブロックバーストの数に対して剰余演算を行って前記ターゲット時間領域オフセットを取得するように構成される。
【０１９１】
選択可能に、本出願の実施例では、前記端末装置６００はさらに前記ネットワーク装置から送信された第二の情報を受信するように構成され、前記第二の情報が前記同期信号ブロックバーストの前記第一の伝送周期におけるターゲット時間領域オフセットを示すことに用いられる第三の受信ユニット６４０を備え、前記確定ユニット６１０は具体的に前記第二の情報に基づき、前記ターゲット時間領域オフセットを確定し、前記ターゲット時間領域オフセットに基づき、前記同期信号ブロックバーストの第一の伝送周期における時間領域位置を確定するように構成される。
【０１９２】
選択可能に、本出願の実施例では、前記第二の情報が前記ターゲット時間領域オフセットの識別子であり、前記確定ユニット６１０は具体的に前記ターゲット時間領域オフセットの識別子に基づき、予め設定された複数の時間領域オフセットから前記ターゲット時間領域オフセットを確定するように構成される。
【０１９３】
選択可能に、本出願の実施例では、第一の情報又は第二の情報はシステムメッセージ、ブロードキャストメッセージ又は無線リソース制御シグナリングに搬送される。
【０１９４】
選択可能に、本出願の実施例では、前記確定ユニット６１０は具体的に前記ネットワーク装置から送信された前記同期信号ブロックバーストの第一の同期信号ブロックを受信し、前記第一の同期信号ブロックの前記第一の伝送周期における時間領域位置及び前記同期信号ブロックバーストの前記第一の伝送周期における時間シーケンス情報に基づき、前記同期信号ブロックバーストの第一の伝送周期における時間領域位置を確定するように構成され、前記第一の受信ユニット６２０は具体的に、前記同期信号ブロックバーストの第一の伝送周期における時間領域位置に基づき、前記ネットワーク装置から送信された前記同期信号ブロックの第二の同期信号ブロックを受信するように構成される。
【０１９５】
選択可能に、本出願の実施例では、前記時間シーケンス情報が前記同期信号ブロックバーストのいずれかの２つの隣接する同期信号ブロックの間の時間領域ユニットの数を含み、前記端末装置６００はさらに前記ネットワーク装置から送信された指示情報を受信するように構成され、前記指示情報が前記時間領域ユニットの数を示すことに用いられる第四の受信ユニット６５０を備え、前記確定ユニット６１０は具体的に前記第一の同期信号ブロックの前記第一の伝送周期における時間領域位置及び前記時間領域ユニットの数に基づき、前記同期信号ブロックバーストの第一の伝送周期における時間領域位置を確定するように構成される。
【０１９６】
選択可能に、本出願の実施例では、前記端末装置はさらに前記ネットワーク装置から送信された指示情報を受信するように構成され、前記指示情報が前記同期信号ブロックバーストの数を示すことに用いられる第四の受信ユニット６５０を備え、前記確定ユニット６１０は具体的に前記同期信号ブロックバーストの数に基づき、前記同期信号ブロックバーストの第一の伝送周期における時間領域位置を確定するように構成される。
【０１９７】
選択可能に、本出願の実施例では、前記端末装置６００はさらに前記ネットワーク装置から送信された指示情報を受信するように構成され、前記指示情報が前記同期信号ブロックバーストの前記第一の伝送周期における時間領域位置を示すことに用いられる第四の受信ユニット６５０を備え、前記確定ユニット６１０は具体的に前記指示情報に基づき、前記同期信号ブロックバーストの第一の伝送周期における時間領域位置を確定するように構成される。
【０１９８】
選択可能に、本出願の実施例では、前記端末装置６００はさらに前記ネットワーク装置から送信された指示情報を受信するように構成され、前記指示情報が複数の対応関係のうちの第一の対応関係を示すことに用いられ、前記対応関係が同期信号ブロックバーストの前記第一の伝送周期における時間シーケンスのマッピングである第四の受信ユニット６５０を備え、前記確定ユニット６１０は具体的に前記第一の対応関係に応じて、前記同期信号ブロックバーストの第一の伝送周期における時間領域位置を確定するように構成される。
【０１９９】
選択可能に、本出願の実施例では、前記指示情報がブロードキャストメッセージ、システムメッセージ、無線リソース制御（ＲＲＣ）シグナリング、媒体アクセス制御（ＭＡＣ）制御エレメント（ＣＥ）シグナリング及びダウンリンク制御情報（ＤＣＩ）のうちの少なくとも一つに搬送される。
【０２００】
選択可能に、本出願の実施例では、前記第四の受信ユニット６５０は具体的に前記ネットワーク装置から送信された前記指示情報をプライマリ搬送波で受信するように構成される。
【０２０１】
選択可能に、本出願の実施例では、前記プライマリ搬送波は新しい無線又は長期進化（ＬＴＥ）システムにおける搬送波である。
【０２０２】
選択可能に、本出願の実施例では、前記同期信号ブロックはプライマリ同期信号とセカンダリ同期信号を含む。
【０２０３】
選択可能に、本出願の実施例では、前記同期信号ブロックはさらにブロードキャストチャネルと前記ブロードキャストチャネルを復調するための復調基準信号を含む。
【０２０４】
理解すべきものとして、本出願の実施例による端末装置６００は本出願の方法２００における端末装置に対応してもよく、且つ端末装置６００の各ユニットの上記と他の操作及び／又は機能はそれぞれ図６の方法における端末装置の対応するプロセスを実現するためのものであり、簡潔するために、ここでは説明を省略する。
【０２０５】
図１４は本出願の実施例によるネットワーク装置７００を示す概略ブロック図である。図１４に示すように、該ネットワーク装置７００は、第一の送信ユニット７１０と第二の送信ユニット７２０を備える。
【０２０６】
第一の送信ユニット７１０は端末装置へ指示情報を送信するように構成され、該指示情報が複数の同期信号ブロックの各同期信号ブロックの第一の周期における時間シーケンスを確定するために該端末装置によって用いられる。
【０２０７】
第二の送信ユニット７２０は該各同期信号ブロックの該第一の周期における時間シーケンスに基づき、該端末装置へ該複数の同期信号ブロックを送信するように構成される。
【０２０８】
したがって、本出願の実施例によるネットワーク装置では、複数のＳＳ  Ｂｌｏｃｋの一つのＳＳ  ｂｕｒｓｔ周期における時間シーケンスを端末装置に示すことにより、端末装置は計算の複雑さを大幅に低減し、検出時間を減らし、消費電力を低減することができる。
【０２０９】
理解すべきものとして、本出願の実施例によるネットワーク装置７００は本出願の方法３００におけるネットワーク装置に対応してもよく、且つネットワーク装置７００の各ユニットの上記と他の操作及び／又は機能はそれぞれ図１０の方法におけるネットワーク装置の対応するプロセスを実現するためのものであり、簡潔するために、ここでは説明を省略する。
【０２１０】
図１５は本出願の実施例によるネットワーク装置８００を示す概略ブロック図である。図１５に示すように、該ネットワーク装置８００は、確定ユニット８１０と第一の送信ユニット８２０を備える。
【０２１１】
確定ユニット８１０は第一のセルの同期信号ブロックバーストの第一の伝送周期における時間領域位置を確定するように構成される。
【０２１２】
第一の送信ユニット８２０は該同期信号ブロックバーストの第一の伝送周期における時間領域位置に基づき、該第一のセルの端末装置へ同期信号ブロックを送信するように構成される。
【０２１３】
したがって、本出願の実施例によるネットワーク装置では、確定された時間領域位置に端末装置へ同期信号ブロックを送信することにより、端末装置は計算の複雑さを大幅に低減し、検出時間を減らし、消費電力を低減することができる。
【０２１４】
選択可能に、本出願の実施例では、該確定ユニット８１０は具体的に該第一のセルの物理セル識別子（ＰＣＩ）に基づき、該同期信号ブロックバーストの第一の伝送周期における時間領域位置を確定するように構成される。
【０２１５】
選択可能に、本出願の実施例では、該確定ユニット８１０は具体的に該ＰＣＩに基づき、該第一の伝送周期における第一の位置に対する該同期信号ブロックバーストのターゲット時間領域オフセットを確定し、該ターゲット時間領域オフセットに基づき、該同期信号ブロックバーストの第一の伝送周期内における時間領域位置を確定するように構成される。
【０２１６】
選択可能に、本出願の実施例では、該確定ユニット８１０は具体的に該ＰＣＩ及びＰＣＩと時間領域オフセットとのマッピング関係に応じて、該ターゲット時間領域オフセットを確定するように構成される。
【０２１７】
選択可能に、本出願の実施例では、該確定ユニット８１０は具体的に該ＰＣＩと第一の情報に基づき、該ターゲット時間領域オフセットを確定するように構成される。
【０２１８】
選択可能に、本出願の実施例では、該第一の情報が該同期信号ブロックバーストの数又は該同期信号ブロックの該第一の伝送周期における時間シーケンス情報であり、該確定ユニット８１０は具体的に該ＰＣＩと該同期信号ブロックバーストの数に基づき、該ターゲット時間領域オフセットを確定するように構成され、又は該ＰＣＩと前記同期信号ブロックバーストの該第一の伝送周期における時間シーケンス情報に基づき、該ターゲット時間領域オフセットを確定するように構成される。
【０２１９】
選択可能に、本出願の実施例では、該確定ユニット８１０は具体的に該ＰＣＩ及び該同期信号ブロックバーストの数に対して剰余演算を行って該ターゲット時間領域オフセットを取得するように構成される。
【０２２０】
選択可能に、本出願の実施例では、該ネットワーク装置８００はさらに該端末装置へ第二の情報を送信し、該第二の情報が該同期信号ブロックバーストの該第一の伝送周期におけるターゲット時間領域オフセットを示すことに用いられる第二の送信ユニット８３０を備える。
【０２２１】
選択可能に、本出願の実施例では、該第二の情報は予め設定された複数の時間領域オフセットにおける該ターゲット時間領域オフセットの識別子である。
【０２２２】
選択可能に、本出願の実施例では、第一の情報又は第二の情報はシステムメッセージ、ブロードキャストメッセージ又は無線リソース制御シグナリングに搬送される。
【０２２３】
選択可能に、本出願の実施例では、該ネットワーク装置８００はさらに該端末装置へ指示情報を送信するように構成され、該指示情報が該同期信号ブロックバーストのいずれかの２つの隣接する同期信号ブロック間の時間領域ユニットの数を示すことに用いられる第三の送信ユニット８４０を備える。
【０２２４】
選択可能に、本出願の実施例では、該ネットワーク装置８００はさらに該端末装置へ指示情報を送信するように構成され、該指示情報が該同期信号ブロックバーストの数を示すことに用いられる第三の送信ユニット８４０を備える。
【０２２５】
選択可能に、本出願の実施例では、該ネットワーク装置８００はさらに該端末装置へ指示情報を送信するように構成され、該指示情報が該同期信号ブロックバーストの第一の伝送周期における時間領域位置を示すことに用いられる第三の送信ユニット８４０を備える。
【０２２６】
選択可能に、本出願の実施例では、該ネットワーク装置８００はさらに該端末装置へ指示情報を送信するように構成され、該指示情報が複数の対応関係のうちの第一の対応関係を示すことに用いられ、該対応関係が同期信号ブロックバーストの該第一の伝送周期における時間シーケンスのマッピングである第三の送信ユニット８４０を備える。
【０２２７】
選択可能に、本出願の実施例では、該指示情報がブロードキャストメッセージ、システムメッセージ、無線リソース制御（ＲＲＣ）シグナリング、媒体アクセス制御（ＭＡＣ）制御エレメント（ＣＥ）シグナリング及びダウンリンク制御情報（ＤＣＩ）のうちの少なくとも一つに搬送される。
【０２２８】
選択可能に、本出願の実施例では、該第三の送信ユニット８４０は具体的に該端末装置へ該指示情報をプライマリ搬送波で送信するように構成される。
【０２２９】
選択可能に、本出願の実施例では、該プライマリ搬送波は新しい無線（ＮＲ）又は長期進化（ＬＴＥ）システムにおける搬送波である。
【０２３０】
選択可能に、本出願の実施例では、該同期信号ブロックはプライマリ同期信号とセカンダリ同期信号を含む。
【０２３１】
選択可能に、本出願の実施例では、該同期信号ブロックはさらにブロードキャストチャネルと該ブロードキャストチャネルを復調するための復調基準信号を含む。
【０２３２】
理解すべきものとして、本出願の実施例によるネットワーク装置８００は本出願の方法４００におけるネットワーク装置に対応してもよく、且つネットワーク装置８００の各ユニットの上記と他の操作及び／又は機能はそれぞれ図１１の方法におけるネットワーク装置の対応するプロセスを実現するためのものであり、簡潔するために、ここでは説明を省略する。
【０２３３】
図１６に示すように、本出願の実施例はさらに図１２の端末装置５００とすることができる端末装置９００を提供し、図５の方法１００に対応する端末装置のコンテンツを実行することに用いられることができる。該端末装置９００は、入力インタフェース９１０、出力インタフェース９２０、プロセッサ９３０及びメモリ９４０を備え、該入力インタフェース９１０、出力インタフェース９２０、プロセッサ９３０とメモリ９４０がバスシステムを介して接続されてもよい。前記メモリ９４０はプログラム、命令又はコードを記憶するように構成される。前記プロセッサ９３０は信号を受信するように入力インタフェース９１０を制御し、信号を送信するように出力インタフェース９２０を制御し、前記方法の実施例における操作を完了するために、前記メモリ９４０におけるプログラム、命令又はコードを実行するように構成される。
【０２３４】
したがって、本出願の実施例による端末装置では、複数のＳＳ  Ｂｌｏｃｋの一つの周期における時間シーケンスを予め確定することにより、固定された時間領域リソースでＳＳ  Ｂｌｏｃｋを受信することができ、それによって端末装置は計算の複雑さを大幅に低減し、検出時間を減らし、消費電力を低減することができる。
【０２３５】
理解すべきものとして、本発明の実施例では、該プロセッサ９３０は中央処理ユニット（ＣＰＵ：Ｃｅｎｔｒａｌ  Ｐｒｏｃｅｓｓｉｎｇ  Ｕｎｉｔ）であってもよく、該プロセッサ９３０はさらに他の汎用プロセッサ、デジタル信号プロセッサ、専用集積回路、フィールドプログラマブルゲートアレイ又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は該プロセッサはいずれかの従来のプロセッサなどであってもよい。
【０２３６】
該メモリ９４０は読み取り専用メモリとランダムアクセスメモリを含み、そしてプロセッサ９３０へ命令とデータを提供することができる。メモリ９４０の一部は不揮発性ランダムアクセスメモリを含むことができる。例えば、メモリ９４０は装置タイプの情報を記憶することもできる。
【０２３７】
実施プロセスでは、上記方法の各内容は、プロセッサ９３０におけるハードウェアの集積論理回路又はソフトウェアの形の命令によって完了されてもよい。本出願の実施例と組み合わせて開示された方法の内容はハードウェアプロセッサによって実行されて完了され、又はプロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ９４０に位置し、プロセッサ９３０はメモリ９４０における情報を読み取り、そのハードウェアと組み合わせて上記方法の内容を完了する。繰り返しを回避するために、ここで詳細な説明を省略する。
【０２３８】
一つの具体的な実施形態では、端末装置５００における第一の受信ユニット５２０は図１６における入力インタフェース９１０で実現されてもよく、端末装置５００における確定ユニット５１０は図１６におけるプロセッサ９３０で実現されてもよい。
【０２３９】
図１７に示すように、本出願の実施例はさらに図１３の端末装置６００とすることができる端末装置１０００を提供し、図６の方法２００に対応する端末装置のコンテンツを実行することに用いられることができる。該端末装置１０００は、入力インタフェース１０１０、出力インタフェース１０２０、プロセッサ１０３０及びメモリ１０４０を備え、該入力インタフェース１０１０、出力インタフェース１０２０、プロセッサ１０３０とメモリ１０４０がバスシステム１０４０を介して接続されてもよい。前記メモリ１０４０はプログラム、命令又はコードを記憶するように構成される。前記プロセッサ１０３０は信号を受信するように入力インタフェース１０１０を制御し、信号を送信するように出力インタフェース１０２０を制御し、前記方法の実施例における操作を完了するために、前記メモリ１０４０におけるプログラム、命令又はコードを実行するように構成される。
【０２４０】
したがって、本出願の実施例による端末装置では、端末装置は自分が位置する同期信号ブロックバーストの一つの伝送周期における時間領域位置を予め確定することにより、固定された時間領域リソースでＳＳ  Ｂｌｏｃｋを受信することができ、それによって端末装置は計算の複雑さを大幅に低減し、検出時間を減らし、消費電力を低減することができる。
【０２４１】
理解すべきものとして、本発明の実施例では、該プロセッサ１０３０は中央処理ユニット（ＣＰＵ：Ｃｅｎｔｒａｌ  Ｐｒｏｃｅｓｓｉｎｇ  Ｕｎｉｔ）であってもよく、該プロセッサ１０３０はさらに他の汎用プロセッサ、デジタル信号プロセッサ、専用集積回路、フィールドプログラマブルゲートアレイ又は他のプログラマブルロジックデバイス、ディスクリートゲート又はトランジスタロジックデバイス、  ディスクリートハードウェアコンポーネントなどであってもよい。汎用プロセッサはマイクロプロセッサであってもよく、又は該プロセッサはいずれかの従来のプロセッサなどであってもよい。
【０２４２】
該メモリ１０４０は読み取り専用メモリとランダムアクセスメモリを含み、そしてプロセッサ１０３０へ命令とデータを提供することができる。メモリ１０４０の一部は不揮発性ランダムアクセスメモリを含むことができる。例えば、メモリ１０４０は装置タイプの情報を記憶することもできる。
【０２４３】
実施プロセスでは、上記方法の各内容は、プロセッサ１０３０におけるハードウェアの集積論理回路又はソフトウェアの形の命令によって完了されてもよい。本出願の実施例と組み合わせて開示された方法の内容はハードウェアプロセッサによって実行されて完了され、又はプロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ１０４０に位置し、プロセッサ１０３０はメモリ１０４０における情報を読み取り、そのハードウェアと組み合わせて上記方法の内容を完了する。繰り返しを回避するために、ここで詳細な説明を省略する。
【０２４４】
一つの具体的な実施形態では、端末装置６００における第一の受信ユニット６５０、第二の受信ユニット６３０、第三の受信ユニット６４０と第四の受信ユニット６５０は図１７における入力インタフェース１０１０で実現されてもよく、端末装置６００における確定ユニット６１０は図１７におけるプロセッサ１０３０で実現されてもよい。
【０２４５】
図１８に示すように、本出願の実施例はさらに図１４のネットワーク装置７００とすることができる端末装置１１００を提供し、図１０の方法３００に対応するネットワーク装置のコンテンツを実行することに用いられることができる。該ネットワーク装置１１００は、入力インタフェース１１１０、出力インタフェース１１２０、プロセッサ１１３０及びメモリ１１４０を備え、該入力インタフェース１１１０、出力インタフェース１１２０、プロセッサ１１３０とメモリ１１４０がバスシステムを介して接続されてもよい。前記メモリ１１４０はプログラム、命令又はコードを記憶するように構成される。前記プロセッサ１１３０は信号を受信するように入力インタフェース１１１０を制御し、信号を送信するように出力インタフェース１１２０を制御し、前記方法の実施例における操作を完了するために、前記メモリ１１４０におけるプログラム、命令又はコードを実行するように構成される。
【０２４６】
したがって、本出願の実施例によるネットワーク装置では、複数のＳＳ  Ｂｌｏｃｋの一つのＳＳ  ｂｕｒｓｔ周期における時間シーケンスを端末装置に示すことにより、端末装置は計算の複雑さを大幅に低減し、検出時間を減らし、消費電力を低減することができる。
【０２４７】
理解すべきものとして、本発明の実施例では、該プロセッサ１１３０は中央処理ユニット（ＣＰＵ：Ｃｅｎｔｒａｌ  Ｐｒｏｃｅｓｓｉｎｇ  Ｕｎｉｔ）であってもよく、該プロセッサ１１３０はさらに他の汎用プロセッサ、デジタル信号プロセッサ、専用集積回路、フィールドプログラマブルゲートアレイ又は他のプログラマブルロジックデバイス、ディスクリートゲート又はトランジスタロジックデバイス、  ディスクリートハードウェアコンポーネントなどであってもよい。汎用プロセッサはマイクロプロセッサであってもよく、又は該プロセッサはいずれかの従来のプロセッサなどであってもよい。
【０２４８】
該メモリ１１４０は読み取り専用メモリとランダムアクセスメモリを含み、そしてプロセッサ１１３０へ命令とデータを提供することができる。メモリ１１４０の一部は不揮発性ランダムアクセスメモリを含むことができる。例えば、メモリ１１４０は装置タイプの情報を記憶することもできる。
【０２４９】
実施プロセスでは、上記方法の各内容は、プロセッサ１１３０におけるハードウェアの集積論理回路又はソフトウェアの形の命令によって完了されてもよい。本出願の実施例と組み合わせて開示された方法の内容はハードウェアプロセッサによって実行されて完了され、又はプロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ１１４０に位置し、プロセッサ１１３０はメモリ１１４０における情報を読み取り、そのハードウェアと組み合わせて上記方法の内容を完了する。繰り返しを回避するために、ここで詳細な説明を省略する。
【０２５０】
一つの具体的な実施形態では、ネットワーク装置７００における第一の送信ユニット７１０と第二の送信ユニット７２０は図１８における出力インタフェース１１２０で実現されてもよい。
【０２５１】
図１９に示すように、本出願の実施例はさらに図１５のネットワーク装置８００とすることができる端末装置１２００を提供し、図１１の方法４００に対応するネットワーク装置のコンテンツを実行することに用いられることができる。該ネットワーク装置１２００は、入力インタフェース１２１０、出力インタフェース１２２０、プロセッサ１２３０及びメモリ１２４０を備え、該入力インタフェース１２１０、出力インタフェース１２２０、プロセッサ１２３０とメモリ１２４０がバスシステムを介して接続されてもよい。前記メモリ１２４０はプログラム、命令又はコードを記憶するように構成される。前記プロセッサ１２３０は信号を受信するように入力インタフェース１２１０を制御し、信号を送信するように出力インタフェース１２２０を制御し、前記方法の実施例における操作を完了するために、前記メモリ１２４０におけるプログラム、命令又はコードを実行するように構成される。
【０２５２】
したがって、本出願の実施例のネットワーク装置では、ネットワーク装置は固定された時間領域リソースでＳＳ  Ｂｌｏｃｋを送信し、これにより端末装置は固定された時間領域リソースでＳＳ  Ｂｌｏｃｋを受信し、それによって端末装置は、計算の複雑さを大幅に低減し、検出時間を減らし、消費電力を低減することができる。
【０２５３】
理解すべきものとして、本出願の実施例では、該プロセッサ１２３０は中央処理ユニット（ＣＰＵ：Ｃｅｎｔｒａｌ  Ｐｒｏｃｅｓｓｉｎｇ  Ｕｎｉｔ）であってもよく、該プロセッサ１２３０はさらに他の汎用プロセッサ、デジタル信号プロセッサ、専用集積回路、フィールドプログラマブルゲートアレイ又は他のプログラマブルロジックデバイス、ディスクリートゲート又はトランジスタロジックデバイス、  ディスクリートハードウェアコンポーネントなどであってもよい。汎用プロセッサはマイクロプロセッサであってもよく、又は該プロセッサはいずれかの従来のプロセッサなどであってもよい。
【０２５４】
該メモリ１２４０は読み取り専用メモリとランダムアクセスメモリを含み、そしてプロセッサ１２３０へ命令とデータを提供することができる。メモリ１２４０の一部は不揮発性ランダムアクセスメモリを含むことができる。例えば、メモリ１２４０は装置タイプの情報を記憶することもできる。
【０２５５】
実施プロセスでは、上記方法の各内容は、プロセッサ１２３０におけるハードウェアの集積論理回路又はソフトウェアの形の命令によって完了されてもよい。本出願の実施例と組み合わせて開示された方法の内容はハードウェアプロセッサによって実行されて完了され、又はプロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ１２４０に位置し、プロセッサ１２３０はメモリ１２４０における情報を読み取り、そのハードウェアと組み合わせて上記方法の内容を完了する。繰り返しを回避するために、ここで詳細な説明を省略する。
【０２５６】
一つの具体的な実施形態では、ネットワーク装置８００における第一の送信ユニット８２０、第二の送信ユニット８３０と第三の送信ユニット８４０は図１９における出力インタフェース１２２０で実現されてもよい。
【０２５７】
本出願の実施例は、さらに一つ又は複数のプログラムを記憶し、該一つ又は複数のプログラムが命令を含み、該命令が複数のアプリケーションプログラムを含む携帯型電子装置によって実行される時に、該携帯型電子装置に図５、図６、図１０又は図１０に示す実施例における方法を実行させることができるコンピュータ可読記憶媒体を提供する。
【０２５８】
本出願の実施例はさらにコンピュータプログラムを提供し、該コンピュータプログラムが命令を含み、コンピュータプログラムがコンピュータに実行される場合、コンピュータが図５、図６、図１０又は図１１に示す実施例における方法の対応するプロセスを実行することができる。
【０２５９】
当業者であれば、本明細書で開示された実施例と組み合わせて説明された各例のユニット及びアルゴリズムステップは、電子ハードウェア、又はコンピュータソフトウェアと電子ハードウェアの組み合わせで実現されてもよいと理解できる。これらの機能がハードウェア又はソフトウェアで実行されるかは、技術的解決策の特定アプリケーションと設計制約条件に依存する。当業者は各特定のアプリケーションに対して異なる方法を用いて記述される機能を実現することが可能であるが、このような実現は本出願の範囲を超えると見なしてはならない。
【０２６０】
当業者は、便利および簡潔に説明するために、上記のシステム、装置及びユニットの具体的な動作プロセスについて、前記方法の実施例における対応するプロセスを参照できるため、ここでは説明を省略することを明確に理解することができる。
【０２６１】
本出願が提供する、いくつかの実施例では、開示されたシステム、装置および方法は、他の方式により実現されてもよいと理解すべきである。例えば、上記の装置の実施例は例示的なものだけであり、例えば、該ユニットの区分は、論理機能的区分だけであり、実際に実施する時に他の区分方式もあり得て、例えば複数のユニット又は構成要素は組み合わせられてもよい又は別のシステムに統合されてもよく、又はいくつかの特徴は無視されてもよく、又は実行されなくてもよい。また、示される又は議論される相互結合又は直接結合又は通信接続はいくつかのインターフェース、装置又は機能モジュールを介する間接的結合又は通信接続であってもよく、電気的、機械的又は他の形態であってもよい。
【０２６２】
分離部材として説明された該ユニットは物理的に分離するものであってもよく又は物理的に分離するものでなくてもよく、ユニットとして表示された部材は物理ユニットであってもよく又は物理ユニットでなくてもよく、即ち一つの箇所に位置してもよく、又は複数のネットワークユニットに分布してもよい。実際のニーズに応じてそのうちの一部又は全てのユニットを選択して本実施例の技術的解決策の目的を達成することができる。
【０２６３】
また、本出願の各実施例における各機能ユニットは一つの処理ユニットに統合されてもよく、個々のユニットは単独で物理的に存在してもよく、二つ又は二つ以上のユニットは一つのユニットに統合されてもよい。
【０２６４】
該機能はソフトウェア機能ユニットの形態で実現され且つ独立した製品として販売又は使用される時に、一つのコンピュータ読み取り可能な記憶媒体に格納されてもよい。このような理解に基づき、本出願の技術的解決策は本質的に又は従来技術に寄与する部分又は該技術的解決策の部分がソフトウェア製品の形で実現されてもよく、該コンピュータソフトウェア製品がコンピュータ装置（パーソナルコンピュータ、サーバ、又はネットワークデバイス等であってもよい）に本出願の様々な実施例における該方法の全て又は一部のステップを実行させるためのいくつかの命令を含む、記憶媒体に記憶される。前記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０２６５】
以上は、本出願の実施例の具体的な実施形態だけであるが、本出願の保護範囲はこれに制限されず、当業者が本出願で開示された技術範囲内で容易に想到し得る変化又は入れ替わりが全て本出願の保護範囲以内に含まれるべきである。従って、本出願の保護範囲は特許請求の保護範囲に準拠するべきである。
【図１】
2020515141.tif 000004
【図２】
2020515141.tif 000005
【図３】
2020515141.tif 000006
【図４】
2020515141.tif 000007
【図５】
2020515141.tif 000008
【図６】
2020515141.tif 000009
【図７】
2020515141.tif 000010
【図８】
2020515141.tif 000011
【図９】
2020515141.tif 000012
【図１０】
2020515141.tif 000013
【図１１】
2020515141.tif 000014
【図１２】
2020515141.tif 000015
【図１３】
2020515141.tif 000016
【図１４】
2020515141.tif 000017
【図１５】
2020515141.tif 000018
【図１６】
2020515141.tif 000019
【図１７】
2020515141.tif 000020
【図１８】
2020515141.tif 000021
【図１９】
2020515141.tif 000022
【国際調査報告】
2020515141.tif 000023
2020515141.tif 000024
2020515141.tif 000025
2020515141.tif 000026